(57)【要約】      （修正有）【課題】遊技装置とデザイン画とに一体感を持たせることで、遊技領域においてデザイン上での統一性を持たせることができる遊技機を提供する。【解決手段】入賞振分装置４０は、遊技領域１２に臨設される外形形成部分（取付基板及び前面装飾部材）が予め定めた特定実体（チューリップ）の一部を構成する実体構成部をなし、セル画は、実体構成部との間で特定実体を構成する実体画としての花弁を含む。このように構成することにより、遊技領域１２に臨設される入賞振分装置４０の実体構成部とセル画の花弁とによって特定実体（チューリップ）を構成することができるので、入賞振分装置４０とセル画とに一体感を持たせることができ、ひいては遊技領域１２においてデザイン上での統一性を持たせることができる。【選択図】図４
2010188144.tif 000002
【特許請求の範囲】
【請求項１】
遊技盤に区画形成された遊技領域に遊技球を打ち込んで遊技を行う遊技機であって、  前記遊技領域の表面にはデザイン画が付され、該デザイン画が付された前記遊技領域内には、当該遊技領域を流下する遊技球と直接的又は間接的に作用して所定の遊技効果を得る遊技装置が配置され、  前記遊技装置は、前記遊技領域に臨設される外形形成部分が予め定めた特定実体の一部を構成する実体構成部をなし、  前記デザイン画は、前記実体構成部との間で前記特定実体を構成する実体画を含むことを特徴とする遊技機。
【発明の詳細な説明】
【技術分野】
【０００１】
本発明は、遊技盤に区画形成された遊技領域に遊技球を打ち込んで遊技を行う遊技機に関するものである。
【背景技術】
【０００２】
従来、一般に、遊技盤に区画形成された遊技領域に遊技球を打ち込んで遊技を行う遊技機の一例としてのパチンコ機では、遊技盤の表面を構成する化粧板にキャラクタ等が描かれたデザイン画が貼り付けられ、そのデザイン画表面となる遊技領域内に複数の遊技装置が配置されていた。このようなパチンコ機としては、デザイン画のデザインが遊技装置の配置位置以外に規制されないように、遊技装置自体にデザイン画と連続する画を描き遊技領域全体におけるデザイン性を損なわないようにしたもの（例えば、特許文献１参照）が提案されている。
【先行技術文献】
【特許文献】
【０００３】
【特許文献１】特開２００４−２６７３２８号公報（図２）
【発明の概要】
【発明が解決しようとする課題】
【０００４】
ところで、上記特許文献１の構成では、遊技装置の配置によってデザイン画部分がかき消されてしまう画をそのまま遊技装置に描くだけの構成であった。このため、遊技領域全体におけるデザイン性は損なわれない（デザイン画が部分的にかき消される等の問題はない）ものの、遊技装置自体は、デザイン画に合わせて設計されたものではないため、遊技装置とデザイン画との一体感が欠け、遊技領域においてデザイン上での統一性に欠けていた。本発明は、上記した事情に鑑みなされたもので、その目的とするところは、遊技装置とデザイン画とに一体感を持たせることで、遊技領域においてデザイン上での統一性を持たせることができる遊技機を提供することにある。
【課題を解決するための手段】
【０００５】
（解決手段１）  上記目的を達成するために、本発明の遊技機は、遊技盤に区画形成された遊技領域に遊技球を打ち込んで遊技を行う遊技機であって、前記遊技領域の表面にはデザイン画が付され、該デザイン画が付された前記遊技領域内には、当該遊技領域を流下する遊技球と直接的又は間接的に作用して所定の遊技効果を得る遊技装置が配置され、前記遊技装置は、前記遊技領域に臨設される外形形成部分が予め定めた特定実体の一部を構成する実体構成部をなし、前記デザイン画は、前記実体構成部との間で前記特定実体を構成する実体画を含むことを特徴とする。  この場合、遊技領域に臨設される遊技装置の実体構成部とデザイン画の実体画とによって特定実体を構成することができるので、遊技装置とデザイン画とに一体感を持たせることができ、ひいては遊技領域においてデザイン上での統一性を持たせることができる。  
【０００６】
（解決手段２）  解決手段１において、前記遊技領域には、個々に前記実体構成部を備えた複数の遊技装置が配置される。  この場合、遊技領域に配置される複数の遊技装置によって特定実体を構成することができる。  
【０００７】
（解決手段３）  解決手段２において、前記複数の遊技装置は、それぞれ前記実体構成部によって単一の特定実体における一部分を構成して、当該単一の特定実体を前記実体構成部の組合せによ って構成する。  この場合、複数の遊技装置の組合せによって単一の特定実体を構成することができるので、各遊技装置に一体感を持たせることができる。  
【０００８】
（解決手段４）  解決手段３において、前記複数の遊技装置は、前記遊技領域に配置される全ての遊技装置である。  この場合、遊技領域全体において単一の特定実体を表現することができる。  
【０００９】
（解決手段５）  解決手段３又は解決手段４において、前記複数の遊技装置のうち主要な遊技内容を有する主要遊技装置は、前記単一の特定実体における主要部分を構成する位置に配置される。  この場合、主要遊技装置の配置位置を分り易くできると共に、主要な遊技内容を強調して遊技者に認識させることができる。このため、遊技者は、遊技領域内のいずれの部分を狙って遊技球を打ち込めばよいか一目で分かり、遊技進行を容易にできる。この場合、主要遊技装置以外の遊技装置に対する遊技球の打ち込みは、遊技を進行させていく中で自然と分かるものである。なお、主要な遊技内容とは、遊技球を最初に狙い打ちすることで、大当り遊技状態等の遊技者に有利となる遊技状態を発生させて遊技者に大量の賞球を払い出す機会を与え得る遊技内容のことである。  
【００１０】
（解決手段６）  解決手段１乃至解決手段５において、前記実体構成部は、前記特定実体の原色を基調として配色が施される。  この場合、遊技装置とデザイン画とによって構成される特定実体をより実物に近い状態で遊技領域に表現することができる。  
【００１１】
（解決手段７）  解決手段１乃至解決手段６において、前記実体構成部には、前記特定実体の陰影を示す陰影表示部が設けられる。  この場合、遊技装置とデザイン画とによって構成される特定実体に陰影を付けることができ、特定実体を立体的に表現することができる。  
【００１２】
（解決手段８）  解決手段７において、前記陰影表示部は、前記実体構成部に貼付される陰影シールから構成される。  この場合、陰影シールを実体構成部に貼り付けるだけで簡単に特定実体の陰影表現を具現化することができる。  
【００１３】
（解決手段９）  解決手段１乃至解決手段８において、前記実体構成部は、前記遊技装置を前記遊技領域に取り付ける取付基板から構成される。  この場合、遊技装置を遊技領域に取り付けるための取付基板に実体構成部の機能を持たせることで、取り分け実体構成部用の部材を設ける必要がなく、部品点数の削減を招来することができる。  
【００１４】
（解決手段１０）  解決手段９において、前記実体構成部は、前記取付基板の前面側に取り付けられる前面装飾部材を含む。  この場合、取付基板前面の前面装飾部材によっても特定実体を構成することで、特定実体に立体感を持たせることができる。   
【００１５】
（解決手段１１）  解決手段１乃至解決手段１０において、前記デザイン画は、前記遊技盤の表面側に取り付けられる化粧板に貼り付けられるセル画から構成される。  この場合、デザイン画による特定実体の描写をより鮮明且つ詳細に行うことができる。  
【００１６】
（解決手段１２）  解決手段１乃至解決手段１１において、前記デザイン画は、コンセプトに基づいて前記実体画がデザインされたコンセプトデザイン画からなり、前記遊技装置は、前記コンセプトに基づいて前記実体構成部がデザインされたコンセプト遊技装置からなる。  この場合、コンセプトを設けた遊技盤の構成とすることができる。また、遊技装置の形状や配色に合わせてデザイン画が規制されたり、デザイン画に合わせて遊技装置の設計自由度が極端に規制されてしまうことがないので、コンセプトを設けた遊技盤としての訴求効果が薄れることなく、然も遊技内容が乏しいものとなる虞がない。  
【００１７】
（解決手段１３）  解決手段１２において、前記遊技機の遊技内容に基づいて前記コンセプトを設定した。  この場合、商品としての遊技機の遊技内容に合わせてデザイン画と遊技装置とがデザインされるので、遊技盤全体にコンセプトを持たせて遊技者に遊技機のイメージ（遊技内容）を視覚的に訴えかけることができる。  
【００１８】
（解決手段１４）  解決手段１３において、前記コンセプトをチューリップに設定した。  この場合、左右一対の開閉片を備えたチューリップ式入賞口が遊技装置として遊技領域内に設けられて、開閉片の開放を繰り返すことで徐々に賞球を獲得していく遊技内容であることを遊技者にアピールすることができる。  
【００１９】
（解決手段１５）  解決手段５乃至解決手段１４において、前記主要遊技機装置は、前記遊技領域に打ち込まれた遊技球を受け入れる球入口と、該球入口に入った遊技球を複数の球通路のうちいずれかに振り分ける球振分手段と、を備えた入賞振分装置から構成され、前記球振分手段は、円盤形状をなす球受回転体と、該球受回転体を回転駆動するモータと、を備え、前記球受回転体の外周部分には、遊技球１個を受け入れる大きさに穿設されると共に、当該球受回転体の回転動作に伴って受け入れた遊技球を前記複数の球通路のうちいずれかに振り分ける切欠部が設けられ、前記複数の球通路は、遊技内容が有利となるように遊技球を誘導する特別通路部と、遊技球を回収する排出通路部と、から構成され、前記切欠部は、前記球受回転体の外周に沿って複数設けられ、該複数の切欠部は、前記特別通路部に遊技球を誘導する当選切欠部と、前記排出通路部に遊技球を誘導する落選切欠部と、から構成され、前記特別通路部は、前記当選切欠部に遊技球が入ってから前記球受回転体が回転した位置で前記切欠部の遊技球を受け入れる球受入口を備える。  この場合、当選切欠部に遊技球が入ってから球受回転体が回転した位置で当選切欠部の遊技球が特別通路部に送り込まれる構成とすることができるので、遊技内容が遊技者に有利となる遊技状態（例えば、大当り遊技状態）となる旨を事前に遊技者が予知できる。これにより、遊技者は遊技内容が有利となる遊技状態での遊技を行う準備ができる。  
【００２０】
（解決手段１６）  解決手段１５において、前記特別通路部は、前記球受入口に入った遊技球を前記当選切欠部に遊技球が入った位置の下方に誘導する。  この場合、遊技球の自重によって可変入賞口を開放して大当り遊技を行うような構成（遊技盤裏面における球受回転体の下方に遊技球を誘導し、当該遊技球の自重によって可変 入賞口を開放する構成）において、遊技者は遊技内容が有利となる遊技状態での遊技を行う準備ができる。  
【００２１】
（解決手段１７）  解決手段１５又は解決手段１６において、前記特別通路部には、当該特別通路部内を通過する遊技球を検出する特別球検出手段が設けられる。  この場合、球受回転体によって振り分けられた遊技球が特別通路部に送り込まれたことを検出することができる。  
【００２２】
（解決手段１８）  解決手段１７において、効果音を発生する音発生手段と、前記特別球検出手段による遊技球の検出に基づいて前記音発生手段を制御して効果音を発生させる音発生制御手段と、を備える。  この場合、遊技球が特別通路部に送り込まれると、その旨を遊技者に認識させる効果音を音発生手段から発生されることで、遊技内容が有利となる遊技状態の発生を予告することとなり、これによって、遊技者は遊技内容が有利となる遊技状態での遊技を行う準備ができる。  
【００２３】
（解決手段１９）  解決手段１５乃至解決手段１８において、前記複数の切欠部は、前記球受回転体の全周を三等分した１２０°の等間隔を置く３つの切欠部から構成され、そのうちの１つの切欠部が前記当選切欠部をなすと共に、残り２つの切欠部が前記落選切欠部をなす。  この場合、当選切欠部に遊技球が入り込む確率を落選切欠部に遊技球が入り込む確率に比べて低く設定することができ、当選切欠部に遊技球が入り込むこと（遊技内容が有利になること）に対する期待感をより一層高めることができる。  
【００２４】
（解決手段２０）  解決手段１５乃至解決
手段１９において、前記球受回転体には、前記当選切欠部と前記落選切欠部とを判別可能にする当落判別部が設けられる。  この場合、遊技球が当選切欠部に入り込んだのか、あるいは落選切欠部に入り込んだのかを明確に遊技者に認識させることができる。  
【００２５】
（解決手段２１）  解決手段１５乃至解決手段２０において、前記球受回転体を支承する支承面部を備え、該支承面部は、前記球受回転体よりも若干大きめの凹面形状に形成されると共に、奥側部分が手前側部分に比べて上方に傾いた傾斜面をなしている。  この場合、球受回転体は、奥側部分が手前側部分に比べて上方に傾いて取り付けられるので、球受回転体の外周部分に穿設された切欠部を遊技者側から視認し易くできる。  
【００２６】
（解決手段２２）  解決手段１５乃至解決手段２１において、前記当選切欠部の切込寸法は、遊技球の直径とほぼ同一に設定される一方、前記落選切欠部の切込寸法は、遊技球の直径よりも若干大きめに設定され、前記支承面部の上側部分には、前記特別通路部の球受入口と前記排出通路部の球受入口とがそれぞれ遊技球１個分の大きさに穿設され、前記特別通路部の球受入口は、前記当選切欠部内に保持された遊技球の位置と対応した箇所に設けられ、前記排出通路部の球受入口は、前記球受回転体の回転に伴って前記落選切欠部内で移動した遊技球の位置と対応した箇所に設けられる。  この場合、落選切欠部に入った遊技球は、球受回転体の回転に伴って徐々に球受回転体の中心方向に移動し、落選切欠部が排出通路部の球受入口の位置まで回転したときに落選切欠部に送り込まれ、当選切欠部に入った遊技球は、当選切欠部内で保持され、当選切欠 部が特別通路部の球受入口の位置まで回転したときに特別通路部に送り込まれる構成にできる。  
【００２７】
（解決手段２３）  解決手段２１又は解決手段２２において、前記特別通路部における球受入口の近傍となる前記支承面部の上面部分には、前記当選切込部の遊技球を前記特別通路部の球受入口に誘導する当選誘導溝が形成される。  この場合、当選切欠部内の遊技球をスムーズに特別通路部に送り込むことができる。  
【００２８】
（解決手段２４）  解決手段２１乃至解決手段２３において、前記排出通路部における球受入口の近傍となる前記支承面部の上面部分には、前記落選切込部の遊技球を前記排出通路部の球受入口に誘導する落選誘導溝が形成される。  この場合、落選切欠部内の遊技球をスムーズに排出通路部に送り込むことができる。  
【００２９】
（解決手段２５）  解決手段１５乃至解決手段２４において、前記排出通路部には、当該排出通路部内を通過する遊技球を検出する排出球検出手段が設けられる。  この場合、球受回転体によって振り分けられた遊技球が排出通路部に送り込まれたことを検出することができる。  
【００３０】
（解決手段２６）  解決手段１５乃至解決手段２５において、遊技球の入賞を可能にする開放位置と遊技球の入賞を不可能にする閉鎖位置との間で移行可能な開閉部材を有する可変入賞口と、前記特別通路部で誘導された遊技球によって前記開閉部材を閉鎖位置から開放位置に移行する開放手段と、を備える。  この場合、球振分手段によって遊技球が特別通路部に振り分けられたとき、遊技特典として可変入賞口を開放する構成にできる。  
【００３１】
（解決手段２７）  解決手段１５乃至解決手段２６において、前記球入口に入った遊技球を検出する球検出手段と、該球検出手段による遊技球の検出に基づいて賞球を払い出す賞球払出手段と、を備える。  この場合、球入口を入賞口として構成することができ、球入口に遊技球が入ることに対して遊技者の期待感を高めることができる。  
【００３２】
（解決手段２８）  解決手段１５乃至解決手段２７において、前記球入口に入った遊技球を誘導する誘導通路と、該誘導通路の球排出口から排出された遊技球を受け入れて旋回する旋回転動板と、を備え、前記旋回転動板は、中心に向って徐々に下り傾斜した円盤形状をなすと共に、その中心部分には遊技球１個分の大きさの球落下口が穿設され、該球落下口の下部空間には、前記球振分手段が配置される。  この場合、旋回転動板上の遊技球を旋回させながら徐々に中央の球落下口に誘導し、球落下口から遊技球を落下させた後に、球振分手段に遊技球を送り込む構成とすることができ、遊技球の球流れにおける興趣を向上することができる。  
【００３３】
（解決手段２９）  解決手段２８において、前記誘導通路は、螺旋状の通路形状に形成されると共に前記旋回転動板の上方に所定の間隔を置いて配置され、前記球排出口から前記旋回転動板上に遊技球を落下排出する。   この場合、誘導通路を通過する遊技球に回転方向の勢いを与えることで、旋回転動板上での遊技球の旋回速度を高めることができ、ひいては球流れにおける興趣が向上できる。  
【００３４】
（解決手段３０）  解決手段２８又は解決手段２９において、前記誘導通路を形成する通路部材と、該通路部材を前記遊技領域に取り付ける通路取付部材と、を備え、前記通路部材は、当該通路部材を前記通路取付部材に取り付ける取付部を有し、該取付部は、外力によって通路部材が移動し得るように遊びを持って前記通路取付部材に取り付ける遊嵌取付部から構成される。  この場合、誘導通路内を遊技球が通過する際、遊技球の流下によって通路部材が移動する。このため、遊技球の流下態様に応じて球排出口と旋回転動板との相対的な位置関係が変わり、旋回転動板上での遊技球の旋回軌跡を多様化することができ、ひいては遊技球の転動における視覚的な興趣を低下することがない。また、この構成によれば、誘導通路を形成する通路部材の取り付けに遊びを設けるという簡単な構成で遊技球の旋回軌跡が多様化できる。  
【００３５】
（解決手段３１）  解決手段３０において、前記通路部材は、透明な合成樹脂材料によって形成される。  この場合、誘導通路を通過する遊技球を遊技者側から視認可能にできる。  
【００３６】
（解決手段３２）  解決手段３１において、前記通路部材及び前記旋回転動板の後側には、前方に向けて光を照射する発光手段が設けられる。  この場合、透明な誘導通路を通過する遊技球と旋回転動板上を旋回する遊技球に対して後方から光を照射することができ、遊技球の球流れに対する視覚的な興趣が向上できる。  
【００３７】
（解決手段３３）  解決手段３０乃至解決手段３２において、前記遊嵌取付部は、前記通路取付部材に穿設された係合穴と係合する係合突起からなり、前記係合突起の幅寸法は、前記係合穴に比べて小さく設定される。  この場合、係合突起の幅寸法を係合穴の幅寸法に比べて小さく設定するという簡単な構造で、通路部材を通路取付部材に遊びを持って取り付けることができる。  
【００３８】
（解決手段３４）  解決手段３３において、前記係合突起は、前記通路部材の前端部分及び後端部分に設けられると共に、その横幅寸法が前記係合穴の横幅寸法に比べて小さく設定される。  この場合、通路部材（誘導通路）を横方向（遊技者側から見て左右方向）に移動可能に取り付けることができる。  
【００３９】
（解決手段３５）  解決手段２８乃至解決手段３４において、前記球落下口の下部空間には、当該球落下口から落下した遊技球を受け入れて前記球振分手段に誘導する誘導空間が設けられる。  この場合、複数の遊技球が下部空間内に連続的に送り込まれた場合でも、振り分け中の遊技球以外となる遊技球を誘導空間内で停留しておくことができる。  
【００４０】
（解決手段３６）  解決手段３５において、前記誘導空間は、前記球振分手段を前方から視認可能に被覆する透明被覆板と、該透明被覆板と前記球振分手段との間に配設された透明仕切板とによって形成される内部空間からなり、前記透明仕切板には、前記誘導空間内の遊技球を前記球振分手段に送り出す送出開口が穿設される。   この場合、球落下口から誘導空間内に入り込む遊技球と、該遊技球を受けて振り分けを行う球振分手段とを遊技者側から視認可能にできる。  
【００４１】
（解決手段３７）  解決手段３６において、前記透明被覆板には、前記誘導空間内に外部から操作道具を挿入可能にする操作穴が穿設される。  この場合、複数の遊技球が連続的に誘導空間内に入り込み、誘導空間の下端で球詰りが生じるような場合、細長い棒状の操作道具を操作穴から誘導空間内に挿入して球詰りを生じた遊技球を押し込むことで、誘導空間下端での球詰りを解消することができる。  
【００４２】
（解決手段３８）  解決手段３６又は解決手段３７において、前記透明仕切板における前記球振分手段の配置部分以外となる部分の裏面側には、前方に向けて光を照射する光照射手段が設けられる。  この場合、光照射手段から照射される光によって球振分手段の外周を光装飾することができる。  
【００４３】
（解決手段３９）  解決手段３５乃至解決手段３８において、前記誘導空間には、前記球落下口から落下した遊技球を受けてこれを前記球振分手段側に誘導する緩衝突片部が設けられる。  この場合、球落下口を落下した遊技球は、一旦、緩衝突片部で受けられて落下速度を弱めた後に球振分手段側に誘導されるので、誘導空間の下面を構成する部材に加わる遊技球の衝撃力を弱めることができる。  
【００４４】
（解決手段４０）  解決手段５乃至解決手段３９において、前記複数の遊技装置のうち前記主要遊技装置以外となる遊技装置は、入賞口を開放する開放位置と閉鎖する閉鎖位置との間で移行可能な開閉部材を有する可変入賞球装置を含み、前記可変入賞球装置は、前記球入口に入った遊技球を前記遊技盤の裏面側で自然落下させる落下通路と、支軸を中心として回動自在に取り付けられて前記落下通路を落下する遊技球の自重によって回動する回動部材と、を備え、前記回動部材は、当該回動部材を前記支軸に回動自在に軸支する軸支部と、該軸支部に突設されると共に前記落下通路を落下する遊技球との当接によって当該回動部材を回動する当接部と、前記軸支部に突設されると共に当該回動部材の回動動作に応じて前記開閉部材と係合して開閉部材を開放位置に移行する係合突起部と、を備え、前記当接部は、前記落下通路内での突出寸法が遊技球の直径寸法よりも小さく設定されている。  この場合、主要遊技装置となる入賞振分装置で振り分けられた遊技球によって可変入賞球装置を開放して遊技者に有利となる遊技状態を発生させる構成とすることができる。また、この構成によれば、落下通路を自然落下する遊技球の衝撃力を遊技球の直径寸法よりも突出寸法が小さく設定された当接部に加えることで回動部材を回動し、回動する回動部材の係合突起部と開閉部材との係合によって開閉部材を開放する。このため、遊技球を当接部上に載せた後に遊技球の自重によって当接部を下方に押し込んで開閉部材を徐々に開放位置に移行するような構成と違い、遊技球の衝撃力が当接部に加わった瞬間に回動部材を回動して瞬時に開閉部材を開放することができる。その結果、素早いタイミングで開閉部材を開放することができる。また、この構成によれば、当接部が配される球通路（落下通路）を傾斜通路とすることなく、然も当接部を遊技球よりも大きな形状で形成することがないので、可変入賞球装置の大型化を回避でき、ひいては可変入賞球装置の設計自由度を低下させることがない。  
【００４５】
（解決手段４１）  解決手段４０において、前記落下通路は、その通路幅寸法が遊技球の直径寸法よりも若 干大きく設定されている。  この場合、遊技球１個が落下通路内を自然落下する構成とすることで、球入口に遊技球が１個入る毎に開閉部材を１回開放する構成にできる。また、落下通路の通路幅を遊技球よりも若干大きめに形成することで、遊技球が落下通路の内壁に衝突する頻度を軽減することができ、遊技球の落下速度が低下することを極力回避できる。このため、遊技球の自然落下による衝撃力を極力大きな力として当接部に加わえることができ、より一層素早いタイミングで開閉部材を開放することができる。  
【００４６】
（解決手段４２）  解決手段４０又は解決手段４１において、前記落下通路の内壁には、当該落下通路を落下する遊技球との衝突によって当該遊技球を前記当接
部側に誘導する誘導突起部が前記軸支部の配置位置よりも上方に突設される。  この場合、落下通路を落下する遊技球を確実に当接部に当てることができ、ひいては開閉部材を確実に開放することができる。また、誘導突起部に遊技球を衝突させた後に、当該遊技球を当接部に誘導することができるので、誘導突起部と当接部との間で遊技球が挟み込まれて落下通路内で球詰りが生じることを防止できる。  
【００４７】
（解決手段４３）  解決手段４２において、前記誘導突起部は、前記落下通路を落下する遊技球を前記当接部の先端側から前記軸支部側となる方向に誘導する位置に設けられる。  この場合、遊技球を当接部の先端側から軸支部側となる方向に誘導して当接部上に落下させることで、遊技球の衝撃力を効率良く回動部材の回動力に変換することができ、回動部材の回動速度を高めることでより一層素早いタイミングでの開閉部材の開放が可能になる。  
【００４８】
（解決手段４４）  解決手段４３において、前記誘導突起部は、前記当接部と対向する前記落下通路の内壁面に設けられる。  この場合、当接部と対向する位置に設けられた誘導突起部に遊技球を衝突させることで、遊技球を当接部の先端側から軸支部側となる方向に誘導して当接部上に落下させる。これにより、遊技球の衝撃力を効率良く回動部材の回動力に変換することができ、回動部材の回動速度を高めることでより一層素早いタイミングでの開閉部材の開放が可能になる。  
【００４９】
（解決手段４５）  解決手段４２乃至解決手段４４において、前記誘導突起部の突出寸法は、前記落下通路の通路幅寸法から遊技球の直径寸法を減算した値よりも小さい値に設定されている。  この場合、落下通路内で誘導突起部上に遊技球が停留して球詰りが生じることを防止できる。  
【００５０】
（解決手段４６）  解決手段４０乃至解決手段４５において、前記落下通路における前記当接部との対向面となる内壁には、前記当接部と当接する遊技球を前記軸支部側に押し込む押込突起部が前記軸支部よりも下方位置に突設される。  この場合、確実に開閉部材を開放することができる。例えば、遊技球が当接部に当接するのと同じタイミングで、閉鎖位置にある開閉部材の前方に遊技球が落下するような場合でも、押込突起部による遊技球の押し込みによって開閉部材前方の遊技球を押し払って開閉部材を開放することができる。  
【００５１】
（解決手段４７）  解決手段４６において、前記押込突起部は、前記開閉部材が開放位置に移行した状態で 、当該押込突起部の先端部分から前記当接部が遊技球と当接する当接先端部分までの距離が遊技球の直径寸法よりも若干大きくなる位置に設けられる。  この場合、押込突起部による遊技球の押し込みをより効率的に行わせることができる。なお、ここでいう当接部の当接先端部分とは、落下通路を落下する遊技球が当接部と当接する部分において、最も当接部の先端部分に近い部分のことをいう。  
【００５２】
（解決手段４８）  解決手段４７において、前記当接部の当接先端部分には、前記押込突起部によって押し込まれた遊技球と当接することで当該遊技球による当接部の押し込みを助長する押込凸部が設けられる。  この場合、遊技球による当接部の押し込みを強めることで、より一層確実に開閉部材を開放することができる。  
【００５３】
（解決手段４９）  解決手段４０乃至解決手段４８において、前記当接部は、前記落下通路を落下する遊技球との当接部分が当該遊技球を受け止める球受面として形成されている。  この場合、遊技球の衝撃力を効率良く当接部に加えることができる。  
【００５４】
（解決手段５０）  解決手段４９において、前記当接部の球受面は、その肉厚部分が前記軸支部側から中央側に向けて徐々に細くなる湾曲形状に形成されている。  この場合、遊技球の衝撃力が最も大きくかかる球受面の基部（軸支部側の部分）の強度を高めることができる。  
【００５５】
（解決手段５１）  解決手段４０乃至解決手段５０において、前記回動部材は、高強度を有する材料によって形成されている。  この場合、遊技球の衝撃力が当接部に加わることで、回動部材が破損することを回避できる。  
【００５６】
（解決手段５２）  解決手段４０乃至解決手段５１において、前記開閉部材は、前記閉鎖位置に移行した状態で前記係合突起部と係合して当該閉鎖位置の状態を保持する閉鎖保持部を備える。  この場合、回動部材の係合突起部の機能として、開閉部材を開放するための機能以外に開閉部材の閉鎖状態を保持する機能も持たせることができる。  
【００５７】
（解決手段５３）  解決手段４０乃至解決手段５２において、前記開閉部材は、当該開閉部材を開閉支軸を中心として回動自在に軸支する開閉軸支部と、前記開閉支軸を中心とした当該開閉部材の回動によって傾動位置と垂直位置との間で移行可能に設けられて前記入賞口を開閉する開閉板部と、を備え、前記開閉板部の裏面は、前記入賞口の開放状態で受け入れた遊技球を支承して後方に誘導する支承誘導面として構成され、前記支承誘導面の側端に立設された側壁面には、前記係合突起部との係合によって当該開閉部材を開放する開放係合部が形成されている。  この場合、入賞口の開放状態で受け入れた遊技球を開閉部材の支承誘導面上で誘導する構成において、回動部材の係合突起部と開閉部材の開放係合部との係合によって支承誘導面上での遊技球の誘導を妨害することがない。  
【００５８】
（解決手段５４）  解決手段５３において、前記支承誘導面の下端部分には、前記開閉軸支部よりも下方に 延設された下方延設部分が設けられ、該下方延設部分は、当該下方延設部分に遊技球が転がり込むことで前記開閉支軸を中心として前記入賞口を閉鎖する方向に前記開閉部材を回動する閉鎖誘導面部を構成する。  この場合、入賞口に入った遊技球の自重によって開閉部材を回動して入賞口を閉鎖することができる。  
【００５９】
（解決手段５５）  解決手段５３又は解決手段５４において、前記開閉板部の上端部分には、前記開閉支軸を中心とした前記開閉部材の回動バランスを調節する錘が設けられている。  この場合、開閉部材の閉鎖時には、垂直位置にある開閉板部の上端に錘が位置することで、開閉部材の閉鎖状態を保つことができる一方、開閉部材の開放時には、傾動する開閉板部上端の錘がその重さによって開閉部材の開放動作を促進することができ、ひいては開閉部材の開閉動作をスムーズに行わせることができる。  
【００６０】
（解決手段５６）  解決手段４０乃至解決手段５５において、前記開閉部材の前記開放位置に移行した状態を保持するストッパー部材を備える。  この場合、振動等の不慮の事態によって開閉部材が閉鎖することを回避することができる。  
【００６１】
（解決手段５７）  解決手段５６において、前記ストッパー部材は、前記入賞口に入った遊技球を受ける球受面部と、該球受面部の上端に設けられて当該ストッパー部材をストッパー支軸に回動自在に軸支するストッパー軸支部と、を備え、前記球受面部の一側下端には、前記開閉部材との係合によって開閉部材の開放状態を保持する係合爪が形成され、前記球受面部の裏面には、前記開閉部材の前記開放位置への移行に応じて前記ストッパー支軸を中心として前記係合爪が前記開閉部材と係合する方向に前記ストッパー部材を回動する錘が設けられ、前記球受面部は、遊技球による後方への移動によって前記ストッパー支軸を中心として前記係合爪と前記開閉部材との係合を解除する方向に前記ストッパー部材を回動する。  この場合、開閉部材が開放位置へ移行することに伴って、ストッパー部材により開閉部材の開放状態を保持する一方、入賞口に遊技球が入ると、これに伴ってストッパー部材による開閉部材の開放保持状態を解除して開閉部材を閉鎖位置へ移行する構成とすることができる。  
【００６２】
（解決手段５８）  解決手段５７において、前記回動部材は、前記支軸を中心とした当該回動部材の回動バランスを調節することで、前記ストッパー部材による前記開閉部材の開放保持状態が解除されたときに、自重によって当該回動部材を回動して前記当接部を前記落下通路内で傾動位置から起立位置に移行する錘を備える。  この場合、錘の自重を利用するという簡単な構造で、開閉部材の閉鎖位置への移行に伴って当接部を傾動位置から起立位置に戻すことができる。  
【００６３】
（解決手段５９）  解決手段４０乃至解決手段５８において、前記可変入賞球装置は、前記入賞口に入った遊技球を検出する入賞球検出手段と、前記入賞口に入った遊技球を前記遊技盤の裏面側で誘導する誘導路と、を備え、前記誘導路は、遊技球を当該可変入賞球装置の側方に向けて排出する球排出部を有し、前記入賞球検出手段は、遊技球の通過に基づいて当該遊技球の検出を行う球検出部を有すると共に、該球検出部が前記球排出部の通路側壁の一部を構成するように配置される。  この場合、入賞口に入った遊技球を誘導する誘導路及び入賞口に入った遊技球を検出す る入賞球検出手段が配置される可変入賞球装置の裏面側を極力コンパクトな構成とすることができ、ひいては装置自体の大型化を回避することができる。また、この構成によれば、可変入賞球装置同士を隣接して配置できるので、複数の可変入賞球装置を一箇所にまとめて配置することも可能になる。  
【００６４】
（解決手段６０）  解決手段５９において、前記球排出部には、前記球検出部が当該球排出部の通路傾斜に合わせて傾くように前記入賞球検出手段を取り付ける取付部が形成される。  この場合、入賞球検出手段による遊技球の検出と球排出部での遊技球の通過をスムーズに行わせることができる。  
【００６５】
（解決手段６１）  解決手段５９又は解決手段６０において、前記球検出部は、前記球排出部の通路断面形状に合った円形状をなす。  この場合、遊技球が球検出部を通過する際に、遊技球が球検出部で引っかかる等の不都合を回避することができ、入賞球検出手段による遊技球の検出と球排出部での遊技球の通過をより一層スムーズに行わせることができる。  
【００６６】
（解決手段６２）  解決手段５９乃至解決手段６１において、前記取付部には、前記入賞球検出手段との係合及び係合解除によって当該入賞球検出手段を着脱自在に取り付ける係合爪が設けられる。  この場合、可変入賞球装置における入賞球検出手段の組み付け作業が容易にできる。  
【００６７】
（解決手段６３）  解決手段５９乃至解決手段６２において、前記可変入賞球装置は、左右方向に並設された２つの入賞口を備えると共に、該２つの入賞口には、前記開閉部材が個々に開閉可能に設けられると共に、前記球排出部に前記入賞球検出手段が配置された前記誘導路が個々に連通して設けられ、左側の入賞口と対応する左球排出部は、左側方に向けて遊技球を排出する通路傾斜に形成され、右側の入賞口と対応する右球排出部は、右側方に向けて遊技球を排出する通路傾斜に形成される。  この場合、可変入賞球装置に左右の入賞口を設けた構成において、可変入賞球装置の裏面側を極力コンパクトな構成とすることで、装置自体の大型化を回避することができる。  
【００６８】
（解決手段６４）  解決手段５９乃至解決手段６２において、前記可変入賞球装置は、上下二段に設けられた２つの入賞口を備えると共に、該２つの入賞口には、前記開閉部材が個々に開閉可能に設けられると共に、前記球排出部に前記入賞球検出手段が配置された前記誘導路が個々に連通して設けられ、上側の入賞口と対応する上球排出部は、左側方又は右側方に向けて遊技球を排出する通路傾斜に形成され、下側の入賞口と対応する下球排出部は、前記上球排出部による遊技球の排出方向と同一方向に向けて遊技球を排出する通路傾斜に形成される。  この場合、可変入賞球装置に上下の入賞口を設けた構成において、可変入賞球装置の裏面側を極力コンパクトな構成とすることで、装置自体の大型化を回避することができる。  
【００６９】
（解決手段６５）  解決手段５９乃至解決手段６２において、前記可変入賞球装置は、左右方向に並設された２つの入賞口を上下二段に有することで４つの入賞口を備えると共に、該４つの入賞口には、前記開閉部材が個々に開閉可能に設け
られると共に、前記球排出部に前記入賞球検出手段が配置された前記誘導路が個々に連通して設けられ、左側の入賞口と対応する左球 排出部は、左側方に向けて遊技球を排出する通路傾斜に形成され、右側の入賞口と対応する右球排出部は、右側方に向けて遊技球を排出する通路傾斜に形成され、上側の入賞口と対応する上球排出部は、左側方又は右側方に向けて遊技球を排出する通路傾斜に形成され、下側の入賞口と対応する下球排出部は、前記上球排出部による遊技球の排出方向と同一方向に向けて遊技球を排出する通路傾斜に形成される。  この場合、可変入賞球装置に左上、右上、左下、右下の計４つの入賞口を設けた構成において、可変入賞球装置の裏面側を極力コンパクトな構成とすることで、装置自体の大型化を回避することができる。
【発明の効果】
【００７０】
本発明の構成によれば、遊技領域に臨設される遊技装置の実体構成部とデザイン画の実体画とによって特定実体を構成することができるので、遊技装置とデザイン画とに一体感を持たせることができ、ひいては遊技領域においてデザイン上での統一性を持たせることができる。
【図面の簡単な説明】
【００７１】
【図１】パチンコ機を示す正面図である。
【図２】本体枠及び前面枠を開放した状態のパチンコ機を示す斜視図である。
【図３】パチンコ機の裏面構成を示す背面図である。
【図４】遊技盤を示す正面図である。
【図５】主基板及びサブ統合基板における回路構成の一例を示すブロック図である。
【図６】入賞振分装置を示す斜視図である。
【図７】入賞振分装置を示す正面図である。
【図８】図７のＡ−Ａ線断面図である。
【図９】図７のＢ−Ｂ線断面図である。
【図１０】入賞振分装置の下部空間に設けられた当選穴と落選穴とを示す正面図である。
【図１１】入賞振分装置の下部空間に設けられた特別通路部と排出通路部とを示す正面図である。
【図１２】上部可変入賞球装置を示す斜視図である。
【図１３】上部可変入賞球装置を示す正面図である。
【図１４】同図（Ａ）は図１３のＣ−Ｃ線断面図であり、同図（Ｂ）は図１３のＤ−Ｄ線断面図である。
【図１５】開閉部材を示す背面斜視図である。
【図１６】開閉部材、ストッパー部材、及び開閉係合部材を示す背面斜視図である。
【図１７】後側構成体の所定部分で切った上部可変入賞球装置を示す背面図である。
【図１８】開閉係合部材による開閉部材の開閉動作を示す説明図である。
【図１９】ストッパー部材による開閉部材の開放保持動作を示す説明図である。
【図２０】落下通路を自然落下する遊技球による開閉係合部材の回動動作を示す説明図である。
【図２１】変形例における開閉係合部材の回動動作を示す説明図である。
【図２２】同図（Ａ）は球通路カバー体を示す側面図であり、同図（Ｂ）は同図（Ａ）のＩ−Ｉ線断面図である。
【図２３】遊技盤のコンセプトデザインを示す説明図である。
【発明を実施するための形態】
【００７２】
以下、図面を参照して本発明の好適な実施形態について説明する。先ず、図１乃至図３を参照して実施形態に係るパチンコ機の全体構成について説明する。図１は、パチンコ機を示す正面図である。図２は、本体枠及び前面枠を開放した状態のパチンコ機を示す斜視図である。図３は、パチンコ機１の裏面構成を示す背面図である。  
【００７３】
図１及び図２に示すように、遊技機としてのパチンコ機１は、外枠２、本体枠３、遊技盤４、前面枠５等を備えて構成されている。外枠２は、上下左右の枠材によって縦長四角形の枠状に形成され、外枠２の前側下部には、本体枠３の下面を受ける下受板６を有している。外枠２の前面一側には、ヒンジ機構７によって本体枠３が前方に開閉可能に装着されている。また、本体枠３は、前枠体８、遊技盤装着枠９、及び機構装着枠１０を合成樹脂材によって一体成形することで構成されている。本体枠３の前側に形成された前枠体８は、外枠２前側の下受板６を除く外郭形状に対応する大きさの矩形枠状に形成されている。なお、本実施形態では、パチンコ機１の正面を視認する視線方向を前側（前面側）とし、これとは反対側（例えば、前枠体８に対する本体枠３側）を後側（背面側）とする。  
【００７４】
また、本体枠３は、合成樹脂材によって一体に形成されると共に、前面側に遊技盤装着枠９が背面側に機構装着枠１０がそれぞれ形成されている。これによって、合成樹脂製の本体枠３は、従来の前枠（内枠、前面枠等と呼ばれることがある）と、機構板（裏機構板、裏セット板等と呼ばれることがある）との機能を兼ね備えている。  
【００７５】
前枠体８の後部に一体的に形成された遊技盤装着枠９には、遊技盤４が前方から着脱交換可能に装着されるようになっている。また、遊技盤装着枠９の左側部には、係合突部３３が上下に２つ形成され、遊技盤装着枠９の右側部には、係合凹部（図示しない）が上下に２つ形成されている。また、遊技盤４の盤面（前面）の左側部には係合突部３３と対応する係止穴３４が上下に２つ形成され、遊技盤４の盤面の右側部には係合凹部と対応する係合フック３５が上下に２つ形成されている。係合フック３５は、遊技盤４と遊技盤装着枠９とを係脱可能に係止する。  
【００７６】
また、遊技盤４の盤面には、外レールと内レールとを備えた案内レール１１が設けられ、該案内レール１１によって区画された領域が発射された遊技球を落下させる遊技領域１２として形成されている。遊技盤装着枠９よりも下方に位置する前枠体８の前側下部の一側寄りには、下部スピーカ１４が装着されている。また、前枠体８前面の下部領域内の上側部分には、遊技盤４の発射通路に向けて遊技球を導く発射レール１５が傾斜状に装着されている。一方、前枠体８前面の下部領域内の下側部分には、下前面部材１６が装着され ている。下前面部材１６前面のほぼ中央には、下皿１７が設けられ、片側寄りには操作ハンドル１８が設けられている。  
【００７７】
また、本体枠３（前枠体８）のヒンジ機構７が設けられる側とは反対側となる開放側の後面には、外枠２に対して本体枠３を施錠する機能と、本体枠３に対して前面枠５を施錠する機能とを兼ね備えた施錠装置１９が装着されている。施錠装置１９は、外枠２に設けられた閉止具２０に係脱可能に係合して本体枠３を閉鎖状態に施錠する上下複数の本体枠施錠フック２１と、前面枠５の開放側の後面に設けられた閉止具２２に係脱可能に係合して前面枠５を閉鎖状態に施錠する上下複数の扉施錠フック２３とを備えている。  
【００７８】
しかして、シリンダー錠２４の鍵穴に鍵が挿入されて一方向に回動操作されることで、本体枠施錠フック２１と外枠２の閉止具２０との係合が解除されて本体枠３が解錠され、これとは逆方向に鍵が回動操作されることで、扉施錠フック２３と前面枠５の閉止具２２との係合が解除されて前面枠５が解錠されるようになっている。シリンダー錠２４の前端部は、パチンコ機１の前方から鍵を挿入して解錠操作が行えるように、前枠体８及び下前面部材１６を貫通して下前面部材１６の前面に露出して配置されている。  
【００７９】
なお、本実施形態では、時計回り方向に鍵を回動操作することで外枠２に対して本体枠３が解錠され、反時計回り方向に鍵を解錠操作することで本体枠３に対して前面枠５が解錠される。このように、回動操作の方向を異ならせるだけで、本体枠３又は前面枠５のいずれかを解錠させることができる。また、施錠装置１９は、本体枠３を閉塞状態に施錠したときに、鍵以外の外部操作によって本体枠施錠フック２１と外枠２の閉止具２０との係合が解除されないように本体枠施錠フック２１をロックするロック機構をさらに備えている。しかして、本体枠３を閉塞状態に施錠したときには、ロック機構により本体枠施錠フック２１がロックされる。また、本体枠施錠フック２１よりも外枠２と本体枠３（前面枠８）との間隙に近い側（図２において右側方）にリブが突設形成され、当該リブにより本体枠施錠フック２１が外枠２と本体枠３（前面枠８）との間隙から針金等を差し込んで直接本体枠施錠フック２１を操作しようとしてもリブに当接する。従って、外枠２と本体枠３（前面枠３）との間隙から針金等により本体枠３を不正に解錠する不正行為を防止することができる。  
【００８０】
本体枠３前面の一側には、ヒンジ機構２５によって前面枠５が前方に開閉可能に装着されている。前面枠５は、扉本体フレーム２６、上皿２８を備えて構成されている。扉本体フレーム２６は、プレス加工された金属製フレーム部材によって構成され、前枠体８の上端から下前面部材１６の上縁に亘る部分を覆う大きさに形成されている。扉本体フレーム２６のほぼ中央には、遊技領域１２を前方から透視可能なほぼ円形状の開口窓３０が形成されている。また、扉本体フレーム２６の後側には、開口窓３０よりも大きい矩形枠状をなす窓枠３１が設けられ、該窓枠３１には、透明板３２が装着されている。  
【００８１】
なお、本実施形態では、遊技盤４の下方にシリンダー錠２４を配置し、遊技盤４の右方に配置された施錠装置１９を薄型化することで、遊技盤４に形成された遊技領域１２の面積を従来よりも拡大することができ、遊技者の視認に対する興趣を高めることができる。また、遊技領域１２の拡大に合わせて前面枠８の開口窓３０も拡大され、該前面枠８の剛性が低下することとなるが、上皿２８を一体的に構成する前面枠８とすることで、前面枠８の剛性の低下を抑制している。  
【００８２】
扉本体フレーム２６の前側には、開口窓３０の周囲において、下部に上皿２８が前面枠８と一体的に設けられ、左右両側部に枠ランプ２７が、上部に上部スピーカ２９が装着されている。なお、枠ランプ２７は、各種遊技内容に応じて点灯・消灯制御され、上部スピーカ２９及び下部スピーカ１４は、各種遊技内容に応じて複数種類の音出力態様の音出力 制御が実行される。このように、各種遊技内容に応じて枠ランプ２７の点灯・消灯制御、上部スピーカ２９及び下部スピーカ１４の音出力制御、を実行することにより演出効果を高め、遊技者の興趣を向上するようになっている。また、上部スピーカ２９及び下部スピーカ１４では、不正行為が実行されたことを報知する警告音、遊技に関するエラー状態が発生したことを報知する情報音、等の出力も行われる。  
【００８３】
次に、本体枠３の裏面構成について説明すると、図３に示すように、本体枠３の裏面には、遊技球を払い出す払出装置１００（賞球払出手段）と、遊技島に設置される球揚送装置から供給される遊技球を貯留する球タンク１０１と、該球タンク１０１と払出装置１００とを接続して球タンク１００に貯留される遊技球を流下せしめるタンクレール１０２と、が配置されている。なお、タンクレール１０２によって球タンク１０１と接続される払出装置１００は、ユニット状に形成され、タンクレール１０２からの遊技球を受け入れて遊技球の払い出しを指示する信号に基づいて所定個数（本実施形態では、１３個）の遊技球を払い出す。  
【００８４】
また、タンクレール１０２の下方には、基板等が内蔵される基板保護カバー１０３が設けられている。基板保護カバー１０３は、タンクレール１０２から落下した球によってこれら基板類が損傷するのを防止すると共に、各基板への不正行為を防止する役割を担っている。また、基板保護カバー１０３は、パチンコ機１の背面側に張り出しており、その下方に主基板１１０が配置されている。また、主基板１１０の遊技盤４背面側には、サブ統合基板１２０（図５に符号のみ記載）が配置されている。しかして、主基板１１０及びサブ統合基板１２０の上方がパチンコ機１の背面側に張り出した基板保護カバー１０３によって覆われ、タンクレール１０２から落下した球によって主基板１１０及びサブ統合基板１２０が損傷するのを防止している。  
【００８５】
また、本体枠３の裏面下側一側には、発射装置１０４が取り付けられている。発射装置１０４は、発射レール１５に送られた球を発射する発射ハンマーや該発射ハンマーに往復回動動作を付与する発射モータ等を集約して設けることにより構成され、操作ハンドル１８と関連付けられている。また、発
射装置１０４の右側方には、払出制御基板１１５が設けられている。払出制御基板１１５は、主基板１１０からの遊技球の払い出しを指示する信号（球払出信号）を受信したことに基づいて払出装置１００を駆動制御する。なお、主基板１１０は、後述する入賞口スイッチ３６，４２，６３，８３，９５，９６による遊技球の検出信号を受信することで、払出制御基板１１５に球払出信号を送信する。  
【００８６】
次に、遊技盤４に区画形成された遊技領域１２内に設けられる各種構成部材について図４を参照して説明する。図４は、遊技盤４を示す正面図である。  
【００８７】
図４に示すように、遊技領域１２のほぼ中央には、入賞振分装置４０が配置されている。入賞振分装置４０は、上端位置に配置された入賞口４１（球入口）と、該入賞口４１に入賞した遊技球を検出する入賞口スイッチ４２（図９参照、球検出手段）と、入賞口４１に入賞した遊技球を下方に誘導する螺旋形状の誘導通路４３と、該誘導通路４３の球排出口４３ａから落下排出された遊技球を視認可能に転動するクルーン転動板４４（旋回転動板）と、該クルーン転動板４４の球落下口４４ａ（図６参照）から落下排出された遊技球を受け入れる下部空間４５と、を備えている。  
【００８８】
下部空間４５には、モータ４６（図８参照）の駆動に基づいて常時時計方向に回転する球受回転体４７（球振分手段）が設けられている。球受回転体４７の外周部分には、遊技球１個を受け入れる大きさに穿設された切欠部が全周に沿って３つ設けられ、そのうちの１つの切欠部が当選切欠部４８を構成し、残り２つの切欠部が落選切欠部４９を構成している。そして、当選切欠部４８に入った遊技球は、球受回転体４７の回転に伴って遊技盤 ４裏面の特別通路部５０（図１１参照）に送り込まれ、後述する当選遊技状態を発生させる。一方、落選切欠部４９に入った遊技球は、球受回転体４７の回転に伴って遊技盤４裏面の排出通路部５１（図１１参照）に送り込まれて回収される。なお、入賞振分装置４０の詳細な構成については後述する。  
【００８９】
入賞振分装置４０の下方には、上部可変入賞球装置６０（可変入賞球装置）が配置され、該上部可変入賞球装置６０の下方には、下部可変入賞球装置８０（可変入賞球装置）が配置されている。  
【００９０】
上部可変入賞球装置６０は、当該上部可変入賞球装置６０を遊技盤４の表面（遊技領域１２）に取り付けるための取付基板６１を有している。取付基板６１の上側部分には、遊技球１個分の大きさに形成された第１，第４の可変入賞口６１ａ，６１ｄが左右一対に穿設され、取付基板６１の下側部分には、遊技球１個分の大きさに形成された第２，第３の可変入賞口６１ｂ，６１ｃが左右一対に穿設されている。即ち、第１〜第４の可変入賞口６１ａ〜６１ｄ（入賞口）が取付基板６１の左上、左下、右下、右上の計４箇所に設けられている。  
【００９１】
また、第１，第４の可変入賞口６１ａ，６１ｄが穿設された上側部分と、第２，第３の可変入賞口６１ｂ，６１ｃが穿設された下側部分との間に位置する取付基板６１の左右両端部には、それぞれ取付基板６１の中央に向って下り傾斜した誘導突起６１ｅが突設されている。左側の誘導突起６１ｅは、第２可変入賞口６１ｂの左上の近傍部分に突設されることで、当該誘導突起６１ｅ上に流下した遊技球を第２可変入賞口６１ｂ側に誘導する。右側の誘導突起６１ｅは、第３可変入賞口６１ｃの右上の近傍部分に突設されることで、当該誘導突起６１ｅ上に流下した遊技球を第３可変入賞口６１ｃ側に誘導する。  
【００９２】
第１〜第４の可変入賞口６１ａ〜６１ｄには、それぞれ開閉部材６２（回動部材）が設けられている。開閉部材６２は、遊技盤４の裏面に設けられた開放機構及び閉鎖機構（遊技球の重さを物理的に利用した機構、詳細な構造は後述する）によって傾動位置（可変入賞口６１ａ〜６１ｄを開放する位置）と垂直位置（可変入賞口６１ａ〜６１ｄを閉鎖する位置）との間で移行可能になっている。具体的には、前述した当選切欠部４８に入って特別通路部５０に送り込まれた遊技球が遊技盤４裏面の開放機構を作動することで、第１〜第４の可変入賞口６１ａ〜６１ｄの全ての開閉部材６２が垂直位置から傾動位置に移行し、第１〜第４の可変入賞口６１ａ〜６１ｄが開放するようになっている。即ち、開放機構は、特別通路部５０に送り込まれた遊技球の作用によって全ての可変入賞口６１ａ〜６１ｄを開放するようになっている。  
【００９３】
一方、開放状態にある第１〜第４の可変入賞口６１ａ〜６１ｄにおいて、遊技球が入賞するとその遊技球が遊技盤４裏面の閉鎖機構を作動することで、開閉部材６２が傾動位置から垂直位置に移行して第１〜第４の可変入賞口６１ａ〜６１ｄを閉鎖するようになっている。但し、閉鎖機構は、各可変入賞口６１ａ〜６１ｄ毎に作用し、第１〜第４の可変入賞口６１ａ〜６１ｄのうち遊技球が入賞した可変入賞口（開閉部材６２）のみを閉鎖するようになっている。  
【００９４】
また、第１〜第４の可変入賞口６１ａ〜６１ｄの裏面側には、それぞれ入賞した遊技球を個々の方向に誘導する誘導路６４〜６７（図２２（Ｂ）参照）が連通して設けられ、各誘導路６４〜６７には、各可変入賞口６１ａ〜６１ｄに入った遊技球を検出するための入賞口スイッチ６３（図２２（Ｂ）参照）が設けられている。第１可変入賞口６１ａと連通する誘導路６４は、第１可変入賞口６１ａに入った遊技球を後述する第１入賞球装置９１の方向（具体的には、第１チューリップ式入賞口９１ｃの開放機構）に誘導する。第２可変入賞口６１ｂと連通する誘導路６５は、第２可変入賞口６１ｂに入った遊技球を後述す る第２入賞球装置９２の方向（具体的には、第２チューリップ式入賞口９２ｃの開放機構）に誘導する。第３可変入賞口６１ｃと連通する誘導路６６は、第３可変入賞口６１ｃに入った遊技球を後述する第３入賞球装置９３の方向（具体的には、第３チューリップ式入賞口９３ｃの開放機構）に誘導する。第４可変入賞口６１ｄと連通する誘導路６７は、第４可変入賞口６１ｄに入った遊技球を後述する第４入賞球装置９４の方向（具体的には、第４チューリップ式入賞口９４ｂの開放機構）に誘導する。  
【００９５】
次に、上部可変入賞球装置６０の下方に配置された下部可変入賞球装置８０について説明する。下部可変入賞球装置８０は、当該下部可変入賞球装置８０を遊技盤４の表面（遊技領域１２）に取り付けるための取付基板８１を有している。取付基板８１の上側部分には、遊技球１個分の大きさに形成された第５，第８の可変入賞口８１ａ，８１ｄが左右一対に穿設され、取付基板８１の下側部分には、遊技球１個分の大きさに形成された第６，第７の可変入賞口８１ｂ，８１ｃが左右一対に穿設されている。即ち、上部可変入賞球装置６０の第１〜第４の可変入賞口６１ａ〜６１ｄと同様に、第５〜第８の可変入賞口８１ａ〜８１ｄ（入賞口）が取付基板８１の左上、左下、右下、右上の計４箇所に設けられている。  
【００９６】
また、第５，第８の可変入賞口８１ａ，８１ｄが穿設された上側部分と、第６，第７の可変入賞口８１ｂ，８１ｃが穿設された下側部分との間に位置する取付基板８１の左右両端部には、上部可変入賞球装置６０の誘導突起６１ｅと同様に、取付基板８１の中央に向って下り傾斜した誘導突起８１ｅが左右一対に突設されている。左側の誘導突起８１ｅは、第６可変入賞口８１ｂの左上の近傍部分に突設されることで、当該誘導突起８１ｅ上に流下した遊技球を第６可変入賞口８１ｂ側に誘導する。右側の誘導突起８１ｅは、第７可変入賞口８１ｃの右上の近傍部分に突設されることで、当該誘導突起８１ｅ上に流下した遊技球を第７可変入賞口８１ｃ側に誘導する。  
【００９７】
第５〜第８の可変入賞口８１ａ〜８１ｄには、それぞれ遊技盤４の裏面に設けられた開放機構及び閉鎖機構（遊技球の重さを物理的に利用した機構、、詳細な構造は後述する）によって傾動位置（可変入賞口８１ａ〜８１ｄを開放する位置）と垂直位置（可変入賞口８１ａ〜８１ｄを閉鎖する位置）との間で移行可能な開閉部材８２が設けられている。第５〜第８の可変入賞口８１ａ〜８１ｄの開放機構は、第１〜第４の可変入賞口６１ａ〜６１ｄの開放機構と同様に、当選切欠部４８に入って特別通路部５０に送り込まれた遊技球の自重によって作動して開閉部材８２を垂直位置から傾動位置に移行することで、第５〜第８の可変入賞口８１ａ〜８１ｄを全て開放する。また、第５〜第８の可変入賞口８１ａ〜８１ｄの閉鎖機構についても、第１〜第４の可変入賞口６１ａ〜６１ｄの閉鎖機構と同様に、各可変入賞口８１ａ〜８１ｄ毎に設けられて、第５〜第８の可変入賞口８１ａ〜８１ｄのうち遊技球が入賞した可変入賞口（開閉部材８２）のみを閉鎖する。  
【００９８】
また、第５〜第８の可変入賞口８１ａ〜８１ｄの裏面側には、それぞれ入賞した遊技球を誘導する誘導路８４〜８７（図２２（Ｂ）参照）が連通して設けられ、各誘導路８４〜８７には、各可変入賞口８１ａ〜８１ｄに入った遊技球を検出するための入賞口スイッチ８３（図２２（Ｂ）参照）が設けられている。但し、各可変入賞口８１ａ〜８１ｄと連通する誘導路８４〜８７は、それぞれ可変入賞口８１ａ〜８１ｄに入った遊技球をそのままパチンコ機１の裏面側に排出する回収通路２２８〜２３１（図２２（Ｂ）参照）に誘導する。なお、上部可変入賞球装置６０及び下部可変入賞球装置８０の詳細な構成については後述する。  
【００９９】
上部可変入賞球装置６０及び下部可変入賞球装置８０の左右側方には、第１〜第４の入賞球装置９１〜９４が設けられている。第１入賞球装置９１は、上部可変入賞球装置６０の左側方における遊技領域１２の側端位置に配置され、第２入賞球装置９２は、下部可変 入賞球装置８０の左側方における近傍位置に配置されている。一方、第３入賞球装置９３は、下部可変入賞球装置８０の右側方における近傍位置に配置され、第４入賞球装置９４は、上部可変入賞球装置６０の右側方における遊技領域１２の側端位置に配置されている。即ち、第１〜第４の入賞球装置９１〜９４のうち左右側端に位置する第１，第４の入賞球装置９１，９４は、第２，第３の入賞球装置９２，９３に比べて若干高い位置に配置されている。  
【０１００】
第１入賞球装置９１は、当該第１入賞球装置９１を遊技盤４の表面（遊技領域１２）に取り付けるための取付基板９１ａを有している。取付基板９１ａの上側部分には、入賞口スイッチ９５（図５に符号のみ記載）が内臓された第１開放入賞口９１ｂが設けられ、取付基板９１ａの下側部分には、入賞口スイッチ９６（図５に符号のみ記載）が内臓されると共に左右一対の開閉片９７を備えた第１チューリップ式入賞口９１ｃ（左右一対の開閉片を備えた可変入賞球装置のことであり、以下このような可変入賞球装置をチューリップ式入賞口という）が設けられている。開閉片９７は、遊技盤４の裏面に設けられた開放機構及び閉鎖機構（遊技球の重さを物理的に利用した機構）によって傾動位置（第１チューリップ式入賞口９１ｃを開放する位置）と垂直位置（第１チューリップ式入賞口９１ｃを閉鎖する位置）との間で移行可能になっている。  
【０１０１】
第１チューリップ式入賞口９１ｃの開放機構は、第１開放入賞口９１ｂに入った遊技球の自重によって作動して開閉片９７を垂直位置から傾動位置に移行することで、第１チューリップ式入賞口９１ｃを開放する。一方、開放状態にある第１チューリップ式入賞口９１ｃにおいて、遊技球が入賞するとその遊技球が遊技盤４裏面の閉鎖機構を作動することで、開閉片９７が傾動位置から垂直位置に移行して第１チューリップ式入賞口９１ｃを閉鎖する。即ち、第１開放入賞口９１ｂに遊技球が入賞すると、その入賞特典として第１チューリップ式入賞口９１ｃが開放され、第１チューリップ式入賞口９１ｃに遊技球が入賞すると第１チューリップ式入賞口９１ｃが閉鎖される。なお、第１チューリップ式入賞口９１ｃの開放機構には、前述した第１可変入賞口６１ａに入った遊技球も送り込まれるものであり、当該遊技球による作動においても、同様に第１チューリップ式入賞口９１ｃを開放する。即ち、第１チ
ューリップ式入賞口９１ｃは、第１開放入賞口９１ｂへの入賞及び第１可変入賞口６１ａへの入賞と連動して開放するようになっている。  
【０１０２】
次に、第２〜第４の入賞球装置９２〜９４について説明する。但し、第２〜第４の入賞球装置９２〜９４は、それぞれ第１入賞球装置９１と同一の構成部材によって構成される。このため、同一の構成部材における詳細な説明は省略すると共に、同一の構成部材には同一の符号を付して説明を行う。第２入賞球装置９２は、当該第２入賞球装置９２を遊技盤４の表面（遊技領域１２）に取り付けるための取付基板９２ａを有している。取付基板９２ａには、第１入賞球装置９１の取付基板９１ａと同様に、入賞口スイッチ９５が内臓された第２開放入賞口９２ｂと、入賞口スイッチ９６が内臓されると共に左右一対の開閉片９７を備えた第２チューリップ式入賞口９２ｃとが設けられている。第２チューリップ式入賞口９２ｃの開放機構は、第１チューリップ式入賞口９１ｃの開放機構と同様に、第２開放入賞口９２ｂに入った遊技球の自重によって作動して開閉片９７を垂直位置から傾動位置に移行することで、第２チューリップ式入賞口９２ｃを開放する。  
【０１０３】
一方、第２チューリップ式入賞口９２ｃの閉鎖機構についても、第１チューリップ式入賞口９１ｃの閉鎖機構と同様に、開放状態にある第２チューリップ式入賞口９２ｃにおいて、遊技球が入賞するとその遊技球が遊技盤４裏面の閉鎖機構を作動することで、開閉片９７が傾動位置から垂直位置に移行して第２チューリップ式入賞口９２ｃを閉鎖する。即ち、第２開放入賞口９２ｂに遊技球が入賞すると、その入賞特典として第２チューリップ式入賞口９２ｃが開放され、第２チューリップ式入賞口９２ｃに遊技球が入賞すると第２チューリップ式入賞口９２ｃが閉鎖される。なお、第２チューリップ式入賞口９１ｃの開 放機構には、前述した第２可変入賞口６１ｂに入った遊技球も送り込まれるものであり、当該遊技球による作動においても、同様に第２チューリップ式入賞口９２ｃを開放する。即ち、第２チューリップ式入賞口９２ｃは、第２開放入賞口９２ｂへの入賞及び第２可変入賞口６１ｂへの入賞と連動して開放するようになっている。  
【０１０４】
第３入賞球装置９３は、当該第３入賞球装置９３を遊技盤４の表面（遊技領域１２）に取り付けるための取付基板９３ａを有している。取付基板９３ａには、第１入賞球装置９１の取付基板９１ａと同様に、入賞口スイッチ９５が内臓された第３開放入賞口９３ｂと、入賞口スイッチ９６が内臓されると共に左右一対の開閉片９７を備えた第３チューリップ式入賞口９３ｃとが設けられている。第３チューリップ式入賞口９３ｃの開放機構は、第１チューリップ式入賞口９１ｃの開放機構と同様に、第３開放入賞口９３ｂに入った遊技球の自重によって作動して開閉片９７を垂直位置から傾動位置に移行することで、第３チューリップ式入賞口９３ｃを開放する。  
【０１０５】
一方、第３チューリップ式入賞口９３ｃの閉鎖機構についても、第１チューリップ式入賞口９１ｃの閉鎖機構と同様に、開放状態にある第３チューリップ式入賞口９３ｃにおいて、遊技球が入賞するとその遊技球が遊技盤４裏面の閉鎖機構を作動することで、開閉片９７が傾動位置から垂直位置に移行して第３チューリップ式入賞口９３ｃを閉鎖する。即ち、第３開放入賞口９３ｂに遊技球が入賞すると、その入賞特典として第３チューリップ式入賞口９３ｃが開放され、第３チューリップ式入賞口９３ｃに遊技球が入賞すると第３チューリップ式入賞口９３ｃが閉鎖される。なお、第３チューリップ式入賞口９３ｃの開放機構には、前述した第３可変入賞口６１ｃに入った遊技球も送り込まれるものであり、当該遊技球による作動においても、同様に第３チューリップ式入賞口９３ｃを開放する。即ち、第３チューリップ式入賞口９３ｃは、第３開放入賞口９３ｂへの入賞及び第３可変入賞口６１ｃへの入賞と連動して開放するようになっている。  
【０１０６】
第４入賞球装置９３は、当該第４入賞球装置９３を遊技盤４の表面（遊技領域１２）に取り付けるための取付基板９４ａを有している。取付基板９４ａには、第１入賞球装置９１の取付基板９１ａと同様に、入賞口スイッチ９５が内臓された第４開放入賞口９４ｂと、入賞口スイッチ９６が内臓されると共に左右一対の開閉片９７を備えた第４チューリップ式入賞口９４ｃとが設けられている。第４チューリップ式入賞口９４ｃの開放機構は、第１チューリップ式入賞口９１ｃの開放機構と同様に、第４開放入賞口９４ｂに入った遊技球の自重によって作動して開閉片９７を垂直位置から傾動位置に移行することで、第４チューリップ式入賞口９４ｃを開放する。  
【０１０７】
一方、第４チューリップ式入賞口９４ｃの閉鎖機構についても、第１チューリップ式入賞口９１ｃの閉鎖機構と同様に、開放状態にある第４チューリップ式入賞口９４ｃにおいて、遊技球が入賞するとその遊技球が遊技盤４裏面の閉鎖機構を作動することで、開閉片９７が傾動位置から垂直位置に移行して第４チューリップ式入賞口９４ｃを閉鎖する。即ち、第４開放入賞口９４ｂに遊技球が入賞すると、その入賞特典として第４チューリップ式入賞口９４ｃが開放され、第４チューリップ式入賞口９４ｃに遊技球が入賞すると第４チューリップ式入賞口９４ｃが閉鎖される。なお、第４チューリップ式入賞口９４ｃの開放機構には、前述した第４可変入賞口６１ｄに入った遊技球も送り込まれるものであり、当該遊技球による作動においても、同様に第４チューリップ式入賞口９４ｃを開放する。即ち、第４チューリップ式入賞口９４ｃは、第４開放入賞口９４ｂへの入賞及び第４可変入賞口６１ｄへの入賞と連動して開放するようになっている。  
【０１０８】
また、遊技領域１２には、上記した構成以外にも、一般入賞口３７やアウト口３８等が設けられている。一般入賞口３７は、受け入れた遊技球を遊技盤４裏面に設けられた入賞口スイッチ３６（図５に符号のみ記載）に誘導するものであり、入賞振分装置４０の上方 及び左右側方の計３箇所に配置されている。アウト口３８は、遊技領域１２の最下端に設けられ、いずれの入賞口にも入賞しなかった遊技球を受け入れてアウト球として回収する。  
【０１０９】
次に、パチンコ機１の裏面側に設けられる主基板１１０及びサブ統合基板１２０について図５を参照して説明する。図５は、主基板１１０及びサブ統合基板１２０を示すブロック図である。  
【０１１０】
図５に示すように、主基板１１０は、主制御基板１１１および払出制御基板１１５によって構成されている。主制御基板１１１は、中央演算装置としてのＣＰＵ１１２、読み出し専用メモリとしてのＲＯＭ１１３、読み書き可能メモリとしてのＲＡＭ１１４を備えている。ＣＰＵ１１２は、ＲＯＭ１１３に格納されている遊技制御プログラムを実行することによりパチンコ機１で行われる各種遊技を制御すると共に、払出制御基板１１５及びサブ統合基板１２０に送信する信号を作成したりする。また、ＲＡＭ１１４には、主制御基板１１１で実行される種々の処理において生成される各種データや入力信号等の情報が一時的に記憶される。  
【０１１１】
主制御基板１１１には、入賞口スイッチ３６，４２，６３，８３，９５，９６、及び当選スイッチ１８２からの検出信号が入力される。そして、ＣＰＵ１１２は、入力された検出信号に応じた処理を実行する。即ち、入力された検出信号に基づいてサブ統合基板１２０にコマンド信号を出力すると共に、払出制御基板１１５に球払出信号を出力する。  
【０１１２】
払出制御基板１１５は、中央演算装置としてのＣＰＵ１１６、読み出し専用メモリとしてのＲＯＭ１１７、読み書き可能メモリとしてのＲＡＭ１１８を備えている。そして、払出制御基板１１５は、主制御基板１１１から受信した球払出信号を処理し、払出装置１００（払出モータ）に駆動信号を出力する。払出装置１００は、駆動信号の入力に基づいて遊技球の払い出しを行う。  
【０１１３】
サブ統合基板１２０は、ＣＰＵ１２１、ＲＯＭ１２２、ＲＡＭ１２３を備えている。ＣＰＵ１２１は、ＲＯＭ１２２に格納されている制御プログラムに従ってコマンド信号を処理する。ＲＡＭ１２３には、サブ統合基板１２０で実行される種々の処理において生成される各種データや入出力信号等の情報が一時的に記憶される。サブ統合基板１２０は、主制御基板１１１からのコマンド信号に基づいて装飾ランプ１５７，１６９、モータ４６、スピーカ１４，２９を制御する。また、サブ統合基板１２０には、落選スイッチ１８１からの検出信号が入力される。  
【０１１４】
ここで、遊技内容について簡単に説明する。基本的な遊技内容としては、遊技領域１２内に打ち込まれた遊技球がいずれかの入賞口に入賞すると（いずれかの入賞口スイッチ３６，４２，６３，８３，９５，９６によって遊技球が検出されると）、その入賞に基づいて所定数の遊技球が払い出される。本実施形態では、入賞口の種類に関わらず、１個の入賞に対して一律１３個の遊技球が賞球として払い出される。また、遊技領域１２内に打ち込まれた遊技球が入賞振分装置４０の入賞口４１に入賞した場合、当該遊技球は、誘導通路４３を通ってクルーン転動板４４上に排出される。その後、遊技球は、クルーン転動板４４上を旋回した後に球落下口４４ａから下部空間４５に送り込まれ、常時回転する球受回転体４７の回転動作に応じて当選切欠部４８又は落選切欠部４９のいずれか一方にはまり込む。落選切欠部４９に入った遊技球は、球受回転体４７の回転に伴って排出通路部５１に送り込まれて回収される。一方、当選切欠部４８に入った遊技球は、球受回転体４７の回転に伴って特別通路部５０に送り込まれ、当選遊技状態を発生させる。  
【０１１５】
当選遊技状態について説明する。当選遊技状態とは、特別通路部５０に送り込まれた遊 技球の自重によって開放機構を作動して第１〜第８の可変入賞口６１ａ〜６１ｄ，８１ａ〜８１ｄを全て開放した状態である。そして、開放状態にある第１〜第８の可変入賞口６１ａ〜６１ｄ，８１ａ〜８１ｄにおいて遊技球が入賞すると、入賞した可変入賞口を順次閉鎖していく。また、このとき、第１〜第４の可変入賞口６１ａ〜６１ｄについては、入賞した可変入賞口と対応するチューリップ式入賞口を順次開放する。具体的には、第１可変入賞口６１ａに入賞があると、当該入賞した遊技球の自重によって開放機構を作動して第１チューリップ式入賞口９１ｃを開放する。第２可変入賞口６１ｂに入賞があると、当該入賞した遊技球の自重によって開放機構を作動して第２チューリップ式入賞口９２ｃを開放する。第３可変入賞口６１ｃに入賞があると、当該入賞した遊技球の自重によって開放機構を作動して第３チューリップ式入賞口９３ｃを開放する。第４可変入賞口６１ｄに入賞があると、当該入賞した遊技球の自重によって開放機構を作動して第４チューリップ式入賞口９４ｃを開放する。  
【０１１６】
即ち、当選遊技状態が発生した場合には、第１〜第８の可変入賞口６１ａ〜６１ｄ，８１ａ〜８１ｄ及び第１〜第４のチューリップ式入賞口９１ｃ〜９４ｃの計１２個の入賞口を開放して、遊技者に入賞機会を多く与えるようになっている。なお、第１〜第４のチューリップ式入賞口９１ｃ〜９４ｃは、当選遊技状態が発生していない状態においても、前述したように第１〜第４の開放入賞口９１ｂ〜９４ｂへの各入賞と連動して開放するものである。また、当選遊技状態が発生している状態、言い換えれば第１〜第８の可変入賞口６１ａ〜６１ｄ，８１ａ〜８１ｄのうちいずれかの可変入賞口が開放している状態で、入賞口４１に入賞した遊技球が特別通路部５０に送り込まれた場合、開放中の可変入賞口の閉鎖を待つことなく、遊技球が開放機構を作動した時点で、再度全ての可変入賞口６１ａ〜６１ｄ，８１ａ〜８１ｄを開放する。  
【０１１７】
次に、入賞振分装置４０の詳細な構成について図６乃至図１１を参照して説明する。図６は、入賞振分装置４０を示す斜視図である。図７は、入賞振分装置４０を示す正面図である。図８は、図７のＡ−Ａ線断面図である。図９は、図７のＢ−Ｂ線断面図である。図１０は、入賞
振分装置４０の下部空間４５に設けられた当選穴１７８と落選穴１７７とを示す正面図である。図１１は、入賞振分装置４０の下部空間４５に設けられた特別通路部５０と排出通路部５１とを示す正面図である。  
【０１１８】
図６及び図７に示すように、入賞振分装置４０は、当該入賞振分装置４０を遊技盤４の表面（遊技領域１２）に取り付けるための取付基板１４０（通路取付部材）を有している。取付基板１４０の外周部分には、遊技領域１２にビス止めするための取付穴１４１が複数穿設されており、内側部分には、上部開口１４２と下部開口１４３とが上下二段に穿設されている。取付基板１４０の前面側には、入賞口４１を形成する前面装飾部材１４４が一体的に取り付けられる一方、取付基板１４０の裏面側には、入賞振分装置４０を構成する各種構成部材を取り付けるための取付フランジ部１４５が上部開口１４２及び下部開口１４３の外周端に沿って一体的に形成されている。  
【０１１９】
入賞口４１が形成される取付基板１４０上端の裏面側には、図８に示すように、入賞口４１に入った遊技球を誘導するための球通路１４６が形成され、該球通路１４６の下流端には、入賞口スイッチ４２が取り付けられる。入賞口スイッチ４２の下方となる上部開口１４２内には、誘導通路４３を形成する通路部材１４７が取り付けられる。通路部材１４７は、図９に示すように、螺旋形状の誘導通路４３を形成する通路形成部１４８と、該通路形成部１４８の裏面に一体的に形成された板状取付部１４９と、を備える。通路形成部１４８には、入賞口スイッチ４２を通過した遊技球の落下部分に緩衝誘導突起１４８ａが突設されている。この緩衝誘導突起１４８ａは、落下してくる遊技球の衝撃力を弱めてスムーズに誘導通路４３に誘導するためのものである。また、通路形成部１４８の前端部分には、取付基板１４０に形成された係合凹部１５０（係合穴）との係合によって通路部材 １４７を取付基板１４０に取り付ける係合突起１５１（遊嵌取付部）が突設されている。なお、係合凹部１５０の横幅寸法は、係合突起１５１の横幅寸法に比べて大きく設定されており、係合突起１５１と係合凹部１５０との係合は、取付基板１４０に対する通路部材１４７の上下方向の位置決めを行うと共に前方（図８に示す左方向）への移動を規制するものであり、横方向（図９に示す左右方向）の位置決めは行わない。  
【０１２０】
板状取付部１４９は、長方形の板形状をなし、その左右両端部分が取付フランジ部１４５に穿設された取付切込部１５２と係合する取付突片部１５３を構成している。取付突片部１５３と取付切込部１５２との係合は、係合突起１５１と係合凹部１５０との係合と同様に、取付基板１４０に対する通路部材１４７の上下方向の位置決めを行うと共に前方への移動を規制するものであり、横方向の位置決めは行わない。また、板状取付部１４９の後端部分には、後述する透光装飾板１５６に穿設された係合穴１６０と係合する係合突起１５４（遊嵌取付部）が突設されている。なお、通路形成部１４８及び板状取付部１４９を備えた通路部材１４７は、透明な合成樹脂材料によって一体成形されており、誘導通路４３を通過する遊技球は、遊技者側から視認可能となっている。  
【０１２１】
通路部材１４７の下方となる上部開口１４２の下端には、クルーン転動板４４を形成する転動板部材１５５が取り付けられる。転動板部材１５５は、ほぼ正方形の板形状をなし、その上面には円盤形状をなすクルーン転動板４４が凹設されている。クルーン転動板４４の板面は、中心に向って徐々に下り傾斜した傾斜面に形成され、その中心部分には、下部空間４５と連通する球落下口４４ａが遊技球１個分の大きさで穿設されている。これにより、入賞口４１に入った遊技球は、誘導通路４３を螺旋状に転動した後、誘導通路４３の球排出口４３ａからクルーン転動板４４上に落下し、円盤形状のクルーン転動板４４上を旋回し、最終的に球落下口４４ａを落下して下部空間４５に送り込まれる。  
【０１２２】
通路部材１４７の裏面側には、透光性を有する合成樹脂板からなる透光装飾板１５６と、複数の装飾ランプ１５７（発光手段）が実装されたランプ基板１５８と、が設けられる。ランプ基板１５８は、透光装飾板１５６の裏面に突設された取付ボス１５９に一体的にビス止めされる。そして、ランプ基板１５８を一体的に取り付けた透光装飾板１５６は、該透光装飾板１５６の左右両端に突設された取付片部１５６ａが取付フランジ部１４５に形成された取付ボス１４５ａにビス止めされる。これにより、通路部材１４７と転動板部材１５５とが取り付けられた上部開口１４２には、その後端部分を塞ぐようにして透光装飾板１５６が取り付けられる。なお、透光装飾板１５６の裏面側に配置された装飾ランプ１５７は、各種遊技状態に応じたサブ統合基板１２０の制御に基づいて点灯・点滅が行われ、透光装飾板１５６を通して上部開口１４２内を光装飾する。  
【０１２３】
また、透光装飾板１５６（遊嵌取付部）には、取付基板１４０への取付状態において通路部材１４７の係合突起１５４と係合する係合穴１６０が穿設されている。係合穴１６０の横幅寸法は、係合突起１５４の横幅寸法に比べて若干大きく設定されている（図９参照）。このため、係合突起１５４と係合穴１６０との係合は、透光装飾板１５６（即ち、透光装飾板１５６をビス止めした取付基板１４０）に対する通路部材１４７の上下方向の位置決めを行うと共に後方（図８に示す右方向）への移動を規制するものであり、横方向（図９に示す左右方向）の位置決めは行わない。但し、係合穴１６０と係合突起１５４との横幅寸法差（隙間）は、前述した係合凹部１５０と係合突起１５１との横幅寸法差よりも小さく設定されている。これにより、通路部材１４７は、係合穴１６０と係合突起１５４との横幅寸法差（隙間）だけ左右方向に移動し得る遊びを持って取付基板１４０に取り付けられることになる。  
【０１２４】
ここで、上記したような遊びを持った通路部材１４７の取付構造について説明する。誘導通路４３を形成する通路部材１４７は、前述したように通路形成部１４８の係合突起１ ５１が取付基板１４０の係合凹部１５０と横方向（図９に示す左右方向）の遊びを持って係合（遊嵌）されると共に、板状取付部１４９の取付突片部１５３及び係合突起１５４が個々に取付基板１４０の取付切込部１５２及び透光装飾板１５６の係合穴１６０と横方向（図９に示す左右方向）の遊びを持って係合（遊嵌）されることで、取付基板１４０に取り付けられる。従って、誘導通路４３内を遊技球が通過する際、遊技球の流下によって通路部材１４７が移動する。即ち、取付基板１４０における通路部材１４７の取付位置が変わる。このため、遊技球の流下態様に応じて球排出口４３ａとクルーン転動板４４との相対的な位置関係が変わることとなり、球排出口４３ａからクルーン転動板４４上に排出される遊技球の排出位置を変えることができる。その結果、クルーン転動板４４上での遊技球の旋回軌跡を多様化することができ、ひいては遊技球の転動における視覚的な興趣を低下することがない。また、この構成によれば、誘導通路４３を形成する通路部材１４７の取り付けに遊びを設けるという簡単な構成で遊技球の旋回軌跡が多様化できる。  
【０１２５】
また、上記した遊技球の旋回軌跡を多様化する構成は、その旋回軌跡毎で遊技球が入賞口４１に入ってから球落下口４４ａを落下するまでの時間を異ならせることができる。従って、球振分手段を構成する球受回転体４７の当選切欠部４８に遊技球が入るタイミングを見計らって遊技者が遊技球の打ち込み操作を行っても、必ずしも遊技球は当選切欠部４８に入らなくなる。即ち、遊技球の旋回軌跡を多様化することで、当選切欠部４８への遊技球の狙い打ちを阻止することができる。  
【０１２６】
なお、上記したような遊技球を螺旋状に転動してクルーン転動板４４上に落下させる誘導通路４３は、様々な流下速度で入賞口４１に入った遊技球の速度及び流下方向を整えてクルーン転動板４４上に送り込む遊技球の整流機能を持つものであり、このような整流機能を持った中で、クルーン転動板４４上に排出される遊技球の排出位置に若干の変化を持たせて、前述したような遊技球の旋回軌跡の多様化を招来すると共に、当選切欠部４８への遊技球の狙い打ちを阻止するようになっている。  
【０１２７】
一方、下部空間４５を形成する取付基板１４０の下部開口１４３には、該下部開口１４３内（下部空間４５）を遊技者側から視認可能に被覆する透明被覆板１６１と、該透明被覆板１６１との間で球落下口４４ａから送り込まれた遊技球の誘導空間１６２ａを形成する透明仕切板１６２と、が取り付けられ、該透明仕切板１６２の裏面側には、球受回転体４７を取付基板１４０に取り付けるための取付部材１６３と、球受回転体４７の上方を覆う被覆部材１６４と、が設けられる。  
【０１２８】
透明仕切板１６２の中央下端部分には、透明仕切板１６２の裏面側に配置される球受回転体４７に誘導空間１６２ａ内の遊技球を送り出す送出開口１６５が穿設されている。送出開口１６５は、遊技球３個分程度の横幅寸法と遊技球２個程度の縦幅寸法を有した長方形の開口形状をなす。  
【０１２９】
なお、誘導空間１６２ａの下面は、下部開口１４３の下辺部分に形成された取付フランジ部１４５の一部によって構成され、中央及び後側（球受回転体４７側）に向って徐々に下り傾斜して形成されている。これにより、誘導空間１６２ａ内に送り込まれた遊技球は、自然流下によって送出開口１６５から球受回転体４７側に送り出される。また、誘導空間１６２ａ内には、正面から見て円弧形状をなす緩衝突片部１６６が設けられている。緩衝突片部１６６は、被覆部材１６４の前端部分に一体的に形成され、透明仕切板１６２に穿設された貫通穴を通して誘導空間１６２ａ内に配置される。これにより、球落下口４４ａを落下した遊技球は、一旦、緩衝突片部１６６で受けられて落下速度を弱めた後に左右いずれかの方向に振り分けられて送出開口１６５に誘導される。  
【０１３０】
また、透明被覆板１６１には、正面から見て送出開口１６５よりも若干外側となる左右 二箇所に操作穴１６７が穿設されている。操作穴１６７は、誘導空間１６２ａ下端での球詰りを解消するための穴である。具体的には、複数の遊技球が連続的に入賞口４１に入ることで誘導空間１６２ａの下端で球詰りが生じるような場合、細長い棒状の操作道具を操作穴１６７から誘導空間１６２ａ内に挿入して球詰りを生じた遊技球を押し込むことで、誘導空間１６２ａ下端での球詰りを解消する。  
【０１３１】
被覆部材１６４は、透明な合成樹脂材料によって形成され、前述した緩衝突片部１６６と、正面から見て球受回転体４７以外の領域となる部分で透明仕切板１６２の裏面と当接する装飾面部１６８と、を備えている。装飾面部１６８の裏面には、複数の装飾ランプ１６９（光照射手段）が実装されたランプ基板１７０が取り付けられている。これにより、装飾面部１６８の裏面側に配置された装飾ランプ１６９は、各種遊技状態に応じたサブ統合基板１２０の制御に基づいて点灯・点滅が行われ、装飾面部１６８を通して球受回転体４７の外周を光装飾する。  
【０１３２】
取付部材１６３は、球受回転体４７を支承する支承面部１７１を備えている。支承面部１７１は、円盤形状をなす球受回転体４７よりも若干大きめの凹面形状に形成されており、奥側部分が手前側部分に比べて上方に傾いた傾斜面をなしている。これに伴って、球受回転体４７は、奥側部分が手前側部分に比べて上方に傾いて取り付けられ、球受回転体４７の外周部分に穿設された３つの切欠部（１つの当選切欠部４８と２つの落選切欠部４９）が遊技者側から視認し易くなっている。  
【０１３３】
図１０に示すように、支承面部１７１の中央部分には、球受回転体４７の回転軸１７２を挿通するための挿通穴１７３が穿設されている。回転軸１７２は、その上端部分が球受回転体４７裏面の中心に一体的に取り付けられ、挿通穴１７３に設けられた軸支部１７３ａに回転自在に支持されている。一方、回転軸１７２の下端部分には、ギヤ１７４が一体的に取り付けられて
いる。ギヤ１７４には、取付部材１６３に回転自在に取り付けられたギヤ１７５が歯合され、該ギヤ１７５の中心には、球受回転体４７の駆動源となるモータ４６の駆動軸４６ａが一体的に取り付けられている。  
【０１３４】
しかして、モータ４６の駆動軸４６ａが回転することで、ギヤ１７５が一体的に回転し、ギヤ１７５の回転と連動してギヤ１７４が回転する。そして、ギヤ１７４が一体的に取り付けられた回転軸１７２が回転することにより、球受回転体４７が傾斜した支承面部１７１上で回転する。なお、モータ４６の駆動軸４６ａは、電源投入後常に一方向に回転するようになっており、これに伴って球受回転体４７は、稼動期間中常に一方向（遊技者側から見て時計方向）に回転するように構成されている。  
【０１３５】
円盤形状をなす球受回転体４７の外周部分には、前述したように遊技球１個を受け入れる大きさの切欠となる１つの当選切欠部４８と２つの落選切欠部４９とが穿設されている。これら３つの切欠部４８，４９は、球受回転体４７の外周に沿って一定間隔を置いて設けられている。即ち、球受回転体４７の全周（３６０°）を三等分した１２０°の等間隔を置いて３つの切欠部４８，４９が設けられている。そして、入賞口４１に入った遊技球が誘導空間１６２ａ内に送り込まれた状態で、いずれかの切欠部４８，４９が誘導空間１６２ａの下端中央位置に回転すると、当該切欠部に誘導空間１６２ａ内の遊技球が入り込む。なお、当選切欠部４８の近傍となる球受回転体４７の上面部分には、当該切欠部が他の２つの切欠部（落選切欠部４９）とは異なることを遊技者に認識させる認識シール（図示しない、例えば「Ｖ」の文字が付されたシール（当落判別部））を貼付するための凹部１７６が形成されている。  
【０１３６】
当選切欠部４８は、その切込寸法（球受回転体４７の外周端部から中心方向への切欠寸法）がほぼ遊技球の直径と同一に設定されている。一方、落選切欠部４９の切込寸法は、 遊技球の直径よりも若干大きめに設定されている。このため、落選切欠部４９に入った遊技球は、傾斜した球受回転体４７の回転に伴って（落選切欠部４９が上方に移動することに伴って）徐々に球受回転体４７の中心方向に移動するようになっている。これに対して、当選切欠部４８に入った遊技球は、当選切欠部４８がいずれの回転位置に移動しても当選切欠部４８内で移動することはなく、一定の位置に保持される。  
【０１３７】
また、支承面部１７１の左上側部分には、落選穴１７７が遊技球１個分の大きさに穿設されており、支承面部１７１の右上側部分には、当選穴１７８が遊技球１個分の大きさに穿設されている。落選穴１７７は、挿通穴１７３に挿通される回転軸１７２からの距離、即ち球受回転体４７の中心からの距離が当選穴１７８に比べて短い位置に穿設されている。具体的に、落選穴１７７は、球受回転体４７の回転（落選切欠部４９の上方移動）に伴って落選切欠部４９内で移動した遊技球の位置と対応した箇所に穿設されている。一方、当選穴１７８は、当選切欠部４８内に保持された遊技球の位置と対応した箇所に穿設されている。  
【０１３８】
しかして、落選切欠部４９に入った遊技球は、球受回転体４７の回転に伴って徐々に球受回転体４７の中心方向に移動し、落選切欠部４９が落選穴１７７の位置まで回転したときに落選穴１７７に入り込む。一方、当選切欠部４８に入った遊技球は、当選切欠部４８内で保持されているため（球受回転体４７の中心方向に移動しないため）、当選切欠部４８が落選穴１７７の位置まで回転しても落選穴１７７に入り込むことがない。その後、落選穴１７７を通過した遊技球は、当選切欠部４８が当選穴１７８の位置まで回転したときに当選穴１７８に入り込む。  
【０１３９】
なお、落選穴１７７の近傍となる支承面部１７１の上面部分には、落選切欠部４９内の遊技球をスムーズに落選穴１７７に送り込むための誘導溝１７９が形成されており、当選穴１７８の近傍となる支承面部１７１の上面部分には、当選切欠部４８内の遊技球をスムーズに当選穴１７８に送り込むための誘導溝１８０が形成されている。  
【０１４０】
また、図１１に示すように、落選穴１７７の下方には、落選穴１７７に入った遊技球を検出するための落選スイッチ１８１（排出球検出手段）が設けられ、該落選スイッチ１８１の下方には、落選スイッチ１８１を通過した遊技球を回収する前述の排出通路部５１が連通して設けられている。一方、当選穴１７８の下方には、当選穴１７８に入った遊技球を検出するための当選スイッチ１８２（特別球検出手段）が設けられ、該当選スイッチ１８２の下方には、当選スイッチ１８２を通過した遊技球を第１〜第８の可変入賞口６１ａ〜６１ｄ，８１ａ〜８１ｄの開放機構に誘導する前述の特別通路部５０が連通して設けられている。なお、当選スイッチ１８２による遊技球の検出に基づいて、前述した主制御基板１１１からサブ統合基板１２０（音発生制御手段）にコマンド信号が出力される。そして、当該コマンド信号の制御に基づいて、スピーカ１４，２９（音発生手段）から当選遊技状態が発生する旨を遊技者に認識させる効果音が発生されることで、遊技の興趣を向上するようになっている。  
【０１４１】
ところで、以上説明した球受回転体４７により遊技球を特別通路部５０又は排出通路部５１に振り分ける構成では、誘導空間１６２ａ内に複数の遊技球が停留されたときに、当該複数の遊技球を連続的に特別通路部５０に誘導して遊技者に不利益感を与えることを回避するようになっている。即ち、前述したように当選遊技状態が発生している状態、言い換えれば第１〜第８の可変入賞口６１ａ〜６１ｄ，８１ａ〜８１ｄのうちいずれかの可変入賞口が開放している状態で、遊技球が特別通路部５０に送り込まれた場合、開放中の可変入賞口の閉鎖を待つことなく、遊技球が開放機構を作動した時点で、再度全ての可変入賞口６１ａ〜６１ｄ，８１ａ〜８１ｄを開放するようになっている。このため、仮に複数の遊技球を連続的に特別通路部５０に誘導する構成とした場合には、複数の遊技球が特別 通路部５０に誘導されたにも拘わらず、結果としては、１個の遊技球が特別通路部５０に誘導されたのと同じこと（当選遊技状態が１回だけ発生すること）になってしまい、遊技者に不利益感を与えることになる。  
【０１４２】
しかしながら、本実施形態の構成によれば、遊技球１個分の大きさの当選切欠部４８と落選切欠部４９とが外周部分に穿設された球受回転体４７を奥側部分が手前側部分に比べて上方に傾くように取り付けると共に、当選切欠部４８に入り込んだ遊技球を特別通路部５０に送り込む当選穴１７８を支承面部１７１の上側部分に穿設している。そして、球受回転体４７の当選切欠部４８には遊技球１個のみが入り込み、当選切欠部４８が当選穴１７８と一致する位置（上側）まで球受回転体４７が回転したときに、当選切欠部４８の遊技球を特別通路部５０（当選穴１７８）に送り込むようになっている。このため、誘導空間１６２ａ内に複数の遊技球が停留された状態でも、連続的に複数の遊技球を特別通路部５０（当選穴１７８）に送り込むことがないので、遊技者に不利益感を与えることがない。また、誘導空間１６２ａ内に４個の遊技球が停留され、１個目の遊技球が特別通路部５０に誘導された場合には、その１個目の遊技球によって当選遊技状態を発生させ、２個目３個目の遊技球が排出通路部５１に誘導された後に、４個目の遊技球が再度特別通路部５０に誘導されることで、その間に閉鎖された可変入賞口（６１ａ〜６１ｄ，８１ａ〜８１ｄ）を再び開放して当選遊技状態を発生させることができる。  
【０１４３】
次に、上部可変入賞球装置６０及び下部可変入賞球装置８０の詳細な構成について図１２乃至図１９を参照して説明する。但し、上部可変入賞球装置６０と下部可変入賞球装置８０は、同一の構成部材によって構成されるため、便宜的に上部可変入賞球装置６０の構成についてのみ説明を行う。図１２は、上部可変入賞球装置６０を示す斜視図である。図１３は、上部可変入賞球装置６０を示す正面図である。図１４（Ａ）は、図１３のＣ−Ｃ線断面図であり、図１４（Ｂ）は、図１３のＤ−Ｄ線断面図である。図１５は、開閉部材６２を示す背面斜視図である。図１６は、開閉部材６２、ストッパー部材２０４、及び開閉係合部材２１４を示す背面斜視図である。図１７は、後側構成体１９１の所定部分で切った上部可変入賞球装置６０を示す背面図である。図１８は、開閉係合部材２１４による開閉部材６２の開閉動作を示す説明図である。図１９は、ストッパー部材２０４による開閉部材６２の開放保持動作を示す説明図である。  
【０１４４】
図１２及び図１３に示すように、上部可変入賞球装置６０は、前記取付基板６１を有しており、該取付基板６１の外周部分には、遊技領域１２にビス止めするための取付穴１９０が複数穿設されている。取付基板６１の前面には、前述したように開閉部材６２が個々に開閉自在に取り付けられた第１〜第４の可変入賞口６１ａ〜６１ｄが穿設されると共に、遊技球を第２可変入賞口６１ｂ側及び第３可変入賞口６１ｃ側に個々に誘導する左右一対の誘導突起６１ｅが突設されている。一方、取付基板６１の裏面側には、前述した開閉部材６２の開放機構及び閉鎖機構を構成する各種構成部材を収容すると共に各誘導路６４〜６７を形成する前側及び後側の各構成体１９１，１９２が一体的に取り付けられている。  
【０１４５】
図１４（Ａ）に示すように、開閉部材６２は、支軸１９３（開閉支軸）を中心として回動自在に取付基板６１に取り付けられる（同図中には、第１，第２の可変入賞口６１ａ，６１ｂと個々に連通する開閉部材６２のみを図示）。開閉部材６２は、図１５に示すように、支軸１９３が軸支される軸支部１９４（開閉軸支部）と、可変入賞口（６１ａ〜６１ｂ）を開閉する開閉板部１９５と、を備えている。開閉板部１９５の裏面は、開放状態で受け入れた遊技球を支承して後方に誘導する支承誘導面１９６として構成され、該支承誘導面１９６の下端部分は、軸支部１９４よりも下方に延設されている。  
【０１４６】
支承誘導面１９６の両側端には、それぞれ側壁面が立設されており、一側壁面には、開 閉係合部材２１４との係合によって開閉部材６２を開放する開放係合部１９７が形成されている。また、一側壁面側となる下方への延設部分には、開放係合部１９７と連続的に閉鎖保持部１９８が形成されている。閉鎖保持部１９８は、開閉係合部材２１４との係合によって開閉部材６２の閉鎖状態を保持する。一方、他側壁面側となる下方への延設部分には、ストッパー部材２０４との係合によって開閉部材６２の開放状態を保持する保持係合凹部１９９が形成されている。保持係合凹部１９９の側端部分には、開閉検出アーム２００が延設されている。開閉検出アーム２００は、開閉部材６２の開閉動作に応じてフォトセンサ（図示しない）の光送受信部の遮断及び開放を行うことで、開閉部材６２の開閉状態を検出する。  
【０１４７】
開閉板部１９５の上端部分には、支軸１９３を中心とした開閉部材６２の回動バランスを調節することで、開閉部材６２の開閉動作をスムーズに行わせる棒状錘２０１が埋設されている。即ち、開閉部材６２の閉鎖時には、起立状態（垂直位置）にある開閉板部１９５の上端に棒状錘２０１が位置することで、開閉部材６２の閉鎖状態を保つ一方、開閉部材６２の開放時には、傾動する開閉板部１９５上端の棒状錘２０１がその重さによって開閉部材６２の開放動作を促進する。また、開閉板部１９５の前面には、開放規制突片２０２が突設されている。開放規制突片２０２は、取付基板６１の前面に突設された規制凸部６１ｆとの当接によって開閉部材６２の開放を規制する。  
【０１４８】
なお、図１５に示す開閉部材６２は、正面から見て上部可変入賞球装置６０（取付基板６１）の右側に配置される可変入賞口（第３可変入賞口６１ｃ又は第４可変入賞口６１ｄ）と対応する開閉部材であり、正面から見て上部可変入賞球装置６０（取付基板６１）の左側に配置される可変入賞口（第１可変入賞口６１ａ又は第２可変入賞口６１ｂ）と対応する開閉部材は、図１５に示す開閉部材６２
と左右対称な形状をなすものである。即ち、図１６に示すように、各可変入賞口６１ａ〜６１ｄに開閉部材６２を取り付けた状態で、開放係合部１９７及び閉鎖保持部１９８は、上部可変入賞球装置６０（取付基板６１）の中央側に配置される一方、保持係合凹部１９９及び開閉検出アーム２００は、上部可変入賞球装置６０（取付基板６１）の外側に配置されるようになっている。  
【０１４９】
また、上部可変入賞球装置６０（取付基板６１）の上側に配置される可変入賞口（第１可変入賞口６１ａ及び第４可変入賞口６１ｄ）と対応する左右対称の開閉部材６２は、それぞれ単一の支軸１９３によって取付基板６１に軸支され、同様に、下側に配置される可変入賞口（第２可変入賞口６１ｂ及び第３可変入賞口６１ｃ）と対応する左右対称の開閉部材６２もそれぞれ単一の支軸１９３によって取付基板６１に軸支される。  
【０１５０】
前側構成体１９１には、各可変入賞口６１ａ〜６１ｄと個々に連通する球誘導部２０３ａ〜２０３ｄが形成されている（図１４（Ａ）及び図１７参照、但し、図１４（Ａ）中には第１，第２の可変入賞口６１ａ，６１ｂと個々に連通する球誘導部２０３ａ，２０３ｂのみを図示）。各球誘導部２０３ａ〜２０３ｄ内には、それぞれ開閉部材９２の開放状態を保持するストッパー部材２０４が設けられている。ストッパー部材２０４は、開放中の開閉部材６２（支承誘導面１９６）から送り込まれる遊技球を受ける球受面部２０５と、該球受面部２０５の上端に設けられて支軸２０６（ストッパー支軸）を中心として回動自在にストッパー部材２０４を前側構成体１９１に取り付ける軸支部２０７（ストッパー軸支部）と、を備えている。  
【０１５１】
球受面部２０５の一側下端には、前記保持係合凹部１９９との係合によって開閉部材６２の開放状態を保持する係合爪２０８が形成されている。また、球受面部２０５の裏面には、支軸２０６を中心としたストッパー部材２０４の回動バランスを調節することで、係合爪２０８と保持係合凹部１９９との係合状態を確実にする棒状錘２０９が一体的に取り付けられている。なお、ストッパー部材２０４は、開閉部材６２と同様に、左側の可変入 賞口（第１可変入賞口６１ａ及び第２可変入賞口６１ｂ）と右側の可変入賞口（第３可変入賞口６１ｃ及び第４可変入賞口６１ｄ）とで左右対称な形状をなす。また、上側の可変入賞口（第１可変入賞口６１ａ及び第４可変入賞口６１ｄ）と対応する左右対称のストッパー部材２０４は、それぞれ単一の支軸２０６によって前側構成体１９１に軸支され、同様に、下側の可変入賞口（第２可変入賞口６１ｂ及び第３可変入賞口６１ｃ）と対応する左右対称のストッパー部材２０４もそれぞれ単一の支軸２０６によって前側構成体１９１に軸支される。  
【０１５２】
後側構成体１９２には、図１７に示すように、各球誘導部２０３ａ〜２０３ｄと個々に連通する球誘導部２１０ａ〜２１０ｄが形成されており、各球誘導部２１０ａ〜２１０ｄの球排出口２１１ａ〜２１１ｄは、それぞれ後側構成体１９２の左右側壁部分に穿設されている。即ち、左側の可変入賞口（第１可変入賞口６１ａ及び第２可変入賞口６１ｂ）と対応する球誘導部２１０ａ，２１０ｂは、それぞれ可変入賞口に入って各球誘導部２０３ａ，２０３ｂを通過した遊技球を遊技盤４裏面で左側に誘導する一方、右側の可変入賞口（第３可変入賞口６１ｃ及び第４可変入賞口６１ｄ）と対応する球誘導部２１０ｃ，２１０ｄは、それぞれ可変入賞口に入って各球誘導部２０３ｃ，２０３ｄを通過した遊技球を遊技盤４裏面で右側に誘導するようになっている。  
【０１５３】
球誘導部２１０ａ〜２１０ｄには、それぞれ前記入賞口スイッチ６３を取り付けるためのスイッチ取付部２１２が形成されている。スイッチ取付部２１２には、入賞口スイッチ６３を着脱自在に取り付ける係合爪２１２ａが設けられている。そして、入賞口スイッチ６３の後端部と係合爪２１２ａとの係合によって、入賞口スイッチ６３の球検出穴６３ａ（図１４（Ａ）参照）が各球誘導部２１０ａ〜２１０ｄと連通して取り付けられることで、球誘導部２１０ａ〜２１０ｄを通過した遊技球を個々に検出するようになっている。入賞口スイッチ６３の球検出穴６３ａは、各球誘導部２１０ａ〜２１０ｄの通路断面形状に合った円形状であり、然も、スイッチ取付部２１２は、球検出穴６３ａが各球誘導部２１０ａ〜２１０ｄの通路傾斜に合わせて若干傾くように入賞口スイッチ６３を取り付けるようになっている（図１７参照）。このため、可変入賞口６１ａ〜６１ｄに入った遊技球は、入賞口スイッチ６３による検出と球誘導部２１０ａ〜２１０ｄの通過がスムーズに行われるようになっている。  
【０１５４】
なお、前側構成体１９１に形成された球誘導部２０３ａと後側構成体１９２に形成された球誘導部２１０ａとにより、第１可変入賞口６１ａに入った遊技球を第１入賞球装置９１の方向（第１チューリップ式入賞口９１ｃの開放機構）に誘導する誘導路６４が構成される。前側構成体１９１に形成された球誘導部２０３ｂと後側構成体１９２に形成された球誘導部２１０ｂとにより、第２可変入賞口６１ｂに入った遊技球を第２入賞球装置９２の方向（第２チューリップ式入賞口９２ｃの開放機構）に誘導する誘導路６５が構成される。前側構成体１９１に形成された球誘導部２０３ｃと後側構成体１９２に形成された球誘導部２１０ｃとにより、第３可変入賞口６１ｃに入った遊技球を第３入賞球装置９３の方向（第３チューリップ式入賞口９３ｃの開放機構）に誘導する誘導路６６が構成される。前側構成体１９１に形成された球誘導部２０３ｄと後側構成体１９２に形成された球誘導部２１０ｄとにより、第４可変入賞口６１ｄに入った遊技球を第４入賞球装置９４の方向（第４チューリップ式入賞口９４ｂの開放機構）に誘導する誘導路６７が構成される。  
【０１５５】
また、後側構成体１９２の中央（各球誘導部２０３ａ，２０３ｄ間、及び各球誘導部２０３ｂ，２０３ｃ間）には、図１４（Ｂ）及び図１７に示すように、上下方向に延びる落下通路２１３が形成されている。落下通路２１３上端の開口は、前記特別通路部５０からの遊技球を受け入れる球入口２１３ａとして形成され、落下通路２１３下端の開口は、当該落下通路２１３を通過した遊技球を下方に排出する球出口２１３ｂとして形成されている。即ち、上部可変入賞球装置６０の落下通路２１３は、球入口２１３ａで特別通路部５ ０を通過した遊技球を受け入れ、球出口２１３ｂから下部可変入賞球装置８０に向けて遊技球を排出する。一方、下部可変入賞球装置８０の落下通路２１３は、球入口２１３ａで上部可変入賞球装置６０を通過した遊技球を受け入れ、球出口２１３ｂから回収通路２３２（図２２（Ｂ）参照）に遊技球を排出する。  
【０１５６】
落下通路２１３内には、各球誘導部２０３ａ，２０３ｄ間及び各球誘導部２０３ｂ，２０３ｃ間となる上下二箇所にそれぞれ左右対称形状の開閉係合部材２１４が設けられている。開閉係合部材２１４は、軸支部２１４ａを備えると共に該軸支部２１４ａが支軸２１５に回動自在に軸支されることで、支軸２１５を中心として回動自在に設けられている。各球誘導部２０３ａ，２０３ｄ間の左側の開閉係合部材２１４は、第１可変入賞口６１ａと対応するものであり、各球誘導部２０３ａ，２０３ｄ間の右側の開閉係合部材２１４は、第４可変入賞口６１ｄと対応するものである。一方、各球誘導部２０３ｂ，２０３ｃ間の左側の開閉係合部材２１４は、第２可変入賞口６１ｂと対応するものであり、各球誘導部２０３ｂ，２０３ｃ間の右側の開閉係合部材２１４は、第３可変入賞口６１ｃと対応するものである。  
【０１５７】
なお、上側の可変入賞口（第１可変入賞口６１ａ及び第４可変入賞口６１ｄ）と対応する左右対称の開閉係合部材２１４は、それぞれ単一の支軸２１５によって前側構成体１９１と後側構成体１９２との間に軸支され、同様に、下側の可変入賞口（第２可変入賞口６１ｂ及び第３可変入賞口６１ｃ）と対応する左右対称の開閉係合部材２１４もそれぞれ単一の支軸２１５によって前側構成体１９１と後側構成体１９２との間に軸支される。  
【０１５８】
開閉係合部材２１４の軸支部２１４ａには、前側構成体１９１に形成された球誘導部（２０３ａ〜２０３ｄ）内に配されて開閉部材６２の開放係合部１９７及び閉鎖保持部１９８と係合する係合突起部２１６と、後側構成体１９２に形成された落下通路２１３内に配されて当該落下通路２１３内を落下する遊技球と当接する当接部２１７とが突設されると共に、支軸２１５を中心とした開閉係合部材２１４の回動バランスを調節する棒状錘２１８が埋設されている。なお、当接部２１７は、落下通路２１３を落下する遊技球との当接部分が当該遊技球を受け止める球受面として形成されている。棒状錘２１８は、開閉部材６２の開放保持状態が解除されたときに、その自重によって開閉係合部材２１４を回動して当接部２１７を落下通路２１３内で傾動位置から起立位置に移行する。  
【０１５９】
また、落下通路２１３の後側内壁面には、落下通路２１３内を落下する遊技球を受けてこれを当接部２１７側（落下通路２１３の前側）に誘導する誘導突起部２１３ｃが突設されている（図１４（Ｂ）及び図１７参照）。誘導突起部２１３ｃは、上側及び下側の可変入賞口（可変入賞口６１ａ，６１ｄ及び可変入賞口６１ｂ，６１ｃ）と個々に対応するよう上下二箇所に突設されている。  
【０１６０】
ここで、開閉係合部材２１４による開閉部材６２の開閉動作及びストッパー部材２０４による開閉部材６２の開放保持動作について説明する。先ず、開閉部材６２（可変入賞口６１ａ〜６１ｄ）の閉鎖状態では、図１８（Ａ）のＥ−Ｅ線断面図となる図１８（Ｂ）に示すように、開閉係合部材２１４の係合突起部２１６は、開閉部材６２の開放係合部１９７及び閉鎖保持部１９８との係合を解除した状態にある。但し、この状態から振動等の外力によって、支軸１９３を中心として可変入賞口（６１ａ〜６１ｄ）を開放する方向（図１８（Ｂ）の反時計方向）に開閉部材６２が回動した場合には、閉鎖保持部１９８が係合突起部２１６と係合して開閉部材６２の回動を規制することで、可変入賞口（６１ａ〜６１ｄ）の閉鎖状態が保持される。即ち、開閉部材６２は、閉鎖保持部１９８と係合突起部２１６との係合によって若干の遊びを持って閉鎖状態が保持されるようになっている。  
【０１６１】
また、開閉部材６２（可変入賞口６１ａ〜６１ｄ）の閉鎖状態では、開閉係合部材２１ ４の当接部２１７は、図１４（Ｂ）に示すように、落下通路２１３内で起立位置にある。また、ストッパー部材２０４の係合爪２０８は、図１９（Ａ）のＧ−Ｇ線断面図となる図１９（Ｂ）に示すように、開閉部材６２の保持係合凹部１９９との係合を解除した状態にある。  
【０１６２】
そして、特別通路部５０から送り込まれた遊技球が落下通路２１３内を自然落下によって通過すると、その通過に伴って当該遊技球が当接部２１７を押し下げて、当接部２１７を起立位置から傾動位置に移行する。これにより、開閉係合部材２１４は、支軸２１５を中心として図１８（Ｂ）の時計方向（図１８（Ｃ）の反時計方向）に回動して係合突起部２１６が押し上げられる。押し上げられた係合突起部２１６は、開放係合部１９７と係合することで、図１８（Ａ）のＦ−Ｆ線断面図となる図１８（Ｃ）に示すように、支軸１９３を中心として開閉部材６２を図１８（Ｃ）の時計方向に回動して可変入賞口（６１ａ〜６１ｄ）を開放する。  
【０１６３】
また、上記した係合突起部２１６と開放係合部１９７との係合によって開閉部材６２が可変入賞口（６１ａ〜６１ｄ）の開放位置まで回動すると、図１９（Ａ）のＨ−Ｈ線断面図となる図１９（Ｃ）に示すように、ストッパー部材２０４は、棒状錘２０９による回動バランスに基づいて支軸２０６を中心として図１９（Ｃ）の時計方向に回動し、係合爪２０８が保持係合凹部１９９と係合する。これにより、開閉部材６２は、開放状態が保持される。なお、このような開放状態において、開閉係合部材２１４は、係合突起部２１６が開閉部材６２の閉鎖保持部１９８に押し上げられた状態にあり、
落下通路２１３内の当接部２１７は、押し下げられた位置に保持される。  
【０１６４】
その後、開放中の可変入賞口（６１ａ〜６１ｄ）に遊技球が入賞すると、当該遊技球が開閉部材６２の支承誘導面１９６上を流下して後方（球誘導部２０３ａ〜２０３ｄ内）に送り込まれる。そして、球誘導部（２０３ａ〜２０３ｄ）内に送り込まれた遊技球が球受面部２０５を後方に押し込むことで、ストッパー部材２０４が支軸２０６を中心として図１９（Ｃ）の反時計方向（図１９（Ｂ）の時計方向）に回動し、係合爪２０８と保持係合凹部１９９との係合を解除して開閉部材６２の開放保持状態を解除する。このとき、開閉部材６２は、支承誘導面１９６の下方延設部分（軸支部１９４よりも下方に延設された部分）となる閉鎖誘導面部に遊技球が転がり込むことで支軸１９３を中心として図１９（Ｂ）の反時計方向に回動し、可変入賞口（６１ａ〜６１ｄ）を閉鎖する。また、これに伴い、開閉係合部材２１４は、棒状錘２１８による回動バランスに基づいて支軸２１５を中心として図１９（Ｂ）の時計方向に回動し、当接部２１７が落下通路２１３内で起立位置に移行する。  
【０１６５】
ところで、以上説明した開閉係合部材２１４による開閉部材６２の開放動作において、本実施形態の構成では、遊技球の自重によって開閉部材を開放する従来の構成に比べて、素早いタイミングで開閉部材６２を開放するようになっている。具体的には、図２０に示すように、遊技球を自然落下させる落下通路２１３によって球通路を構成すると共に、落下通路２１３内での当接部２１７の突出寸法Ｌ３を遊技球の直径寸法Ｌ２よりも小さく設定している。そして、落下通路２１３を自然落下する遊技球の衝撃力を当接部２１７に加えることで開閉係合部材２１４を回動し、回動する開閉係合部材２１４の係合突起部２１６と開閉部材６２との係合によって開閉部材６２を開放する。  
【０１６６】
このため、遊技球を当接部２１７上に載せた後に遊技球の自重によって当接部２１７を下方に押し込んで開閉部材６２を徐々に開放位置に移行するような構成と違い、遊技球の衝撃力が当接部２１７に加わった瞬間に開閉係合部材２１４を回動して瞬時に開閉部材６２を開放することができる。その結果、素早いタイミングで開閉部材６２を開放することができる。また、この構成によれば、当接部２１７が配される球通路（落下通路２１３） を傾斜通路とすることなく、然も当接部２１７を遊技球よりも大きな形状で形成することがないので、可変入賞球装置（上部可変入賞球装置６０、下部可変入賞球装置８０）の大型化を回避でき、ひいては可変入賞球装置の設計自由度を低下させることがない。  
【０１６７】
また、落下通路２１３は、その通路幅寸法Ｌ１が遊技球の直径寸法Ｌ２（＝１１ｍｍ）よりも若干大きく設定されている。このため、遊技球が落下通路２１３の内壁に衝突する頻度を軽減することができ、遊技球の落下速度が低下することを極力回避できる。従って、遊技球の自然落下による衝撃力を極力大きな力として当接部２１７に加わえることができ、より一層素早いタイミングで開閉部材６２を開放することができる。なお、落下通路２１３の通路幅寸法Ｌ１は、２個の遊技球が同時に通過することなく、落下通路２１３内を１個の遊技球がスムーズに通過し得る寸法であればよい。具体的に、実施形態中では、遊技球の直径寸法Ｌ２よりも１ｍｍ大きい１２ｍｍが通路幅寸法Ｌ１に設定されている。  
【０１６８】
また、落下通路２１３の内壁には、当該落下通路２１３を落下する遊技球との衝突によって当該遊技球を当接部２１７の軸支部２１４ａ側となる部分に誘導する誘導突起部２１３ｃが突設されている。これにより、球入口２１３ａに入った遊技球（図２０に示すＰ１の状態）は、その後、落下通路２１３内の誘導突起部２１３ｃと衝突して（図２０に示すＰ２の状態）、落下方向が鉛直方向から若干傾いた当接部２１７の軸支部２１４ａ側の方向に切り替わり、軸支部２１４ａ側となる部分に落下する（図２０に示すＰ３の状態）。このため、遊技球の衝撃力を効率良く開閉係合部材２１４の回動力に変換することができ（図２０に示すＰ４の状態）、開閉係合部材２１４の回動速度を高めることで、より一層素早いタイミングでの開閉部材６２の開放が可能になる。  
【０１６９】
また、当接部２１７は、落下通路２１３を落下する遊技球との当接部分が当該遊技球を受け止める球受面として形成されると共に、先端側に向って若干下り傾斜して配置されている。言い換えれば、当接部２１７は、誘導突起部２１３ｃと衝突した遊技球の落下方向と垂直面となるように落下通路２１３内に配置されている。これにより、誘導突起部２１３ｃに衝突して落下通路２１３内での落下方向が鉛直方向から若干軸支部２１４ａ側に傾いた遊技球は、球受面に対して直角となる方向で当接部２１７に当接する。このため、遊技球の衝撃力を効率良く当接部２１７に加えることができる。  
【０１７０】
また、誘導突起部２１３ｃは、当接部２１７と対向する落下通路２１３の内壁面であり、且つ軸支部２１４ａの配置位置よりも上方となる箇所に設けられる。これにより、誘導突起部２１３ｃに遊技球を衝突させた後に、当該遊技球を当接部２１７に誘導することができるので、誘導突起部２１３ｃと当接部２１７との間で遊技球が挟み込まれて落下通路２１３内で球詰りが生じることを防止できる。なお、実施形態中では、軸支部２１４ａの中心から上方に高さ寸法Ｌ４（＝１１．４ｍｍ）の位置に誘導突起部２１３ｃが突設されている。  
【０１７１】
また、落下通路２１３内で誘導突起部２１３ｃ上に遊技球が停留して球詰りが生じることを防止できるように、誘導突起部２１３ｃの突出寸法Ｌ５は、落下通路２１３の通路幅寸法から遊技球の直径寸法Ｌ２を減算した値よりも小さい値に設定されている。具体的に、実施形態中では、誘導突起部２１３ｃが突設された部分に対応する通路幅寸法が１４ｍｍに設定され、該通路幅寸法から遊技球の直径寸法Ｌ２（＝１１ｍｍ）を減算した値は３ｍｍとなる。これに対応して、誘導突起部２１３ｃの突出寸法Ｌ５は、３ｍｍよりも小さい２ｍｍに設定している。従って、誘導突起部２１３ｃの先端部分から対向する落下通路２１３の内壁面までの寸法Ｌ６は、遊技球の直径寸法Ｌ２よりも大きい１２ｍｍとなる。これにより、遊技球は、誘導突起部２１３ｃ上に停留することなくスムーズに当接部２１７上に落下するようになっている。  
【０１７２】
なお、本実施形態では、遊技球の衝撃力が当接部２１７に加わることで、開閉係合部材２１４が破損することを回避するために、高強度を有する材料（例えば、ガラス繊維を含有するポリカーボネイト等）によって開閉係合部材２１４を形成している。また、遊技球の衝撃力が最も大きくかかる当接部２１７の球受面の基部（軸支部２１４ａ側の部分）の強度を高めるために、球受面の肉厚部分が軸支部２１４ａ側から先端側に向けて徐々に細くなるテーパー形状に形成している。  
【０１７３】
ところで、上記した開閉係合部材２１４による開閉部材６２の開放動作において、落下通路２１３内を落下する遊技球が当接部２１７と当接するタイミングで、遊技領域１２を流下する遊技球が開閉部材６２の前方を通過した場合、開閉部材６２前方の遊技球が開閉係合部材２１４の回動動作に伴う開閉係合部材２１４（係合突起部２１６）と開閉部材６２（開放係合部１９７）との係合を妨げることになる。そして、最悪の場合、遊技球が落下通路２１３を通過したにも拘わらず、開閉部材６２が開放しないことが生じる虞がある。そこで、図２１に示す変形例の構成とすることで、確実に開閉部材６２を開放するようにしてもよい。以下、図２１を参照して変形例の構成について説明する。なお、上記した実施形態と同一の構成については、便宜的に同一の符号を付し、その詳細な説明を省略する。  
【０１７４】
図２１に示すように、落下通路２１３の後側内壁面（当接部２１７との対向面となる内壁）には、誘導突起部２１３ｃの下方となる部分に押込突起部２１３ｄが突設されている。なお、押込突起部２１３ｄは、後述する開閉係合部材２１４’の軸支部２１４ａよりも下方位置に設けられると共に、誘導突起部２１３ｃと同様に、上側及び下側の可変入賞口（可変入賞口６１ａ，６１ｄ及び可変入賞口６１ｂ，６１ｃ）と個々に対応するよう上下二箇所に突設されている。実施形態中では、軸支部２１４ａの中心から下方に高さ寸法Ｌ７（＝３．４ｍｍ）の位置に押込突起部２１３ｄが突設されている。  
【０１７５】
一方、変形例の開閉係合部材２１４’は、開閉係合部材２１４と同様に、支軸２１５に回動自在に軸支される軸支部２１４ａを備え、該軸支部２１４ａには、開閉部材６２（開放係合部１９７及び閉鎖保持部１９８）と係合する係合突起部２１６と、落下通路２１３内を落下する遊技球と当接する当接部２１７’とが突設されると共に、支軸２１５を中心とした開閉係合部材２１４の回動バランスを調節する棒状錘２１８が埋設されている。開閉係合部材２１４’ の当接部２１７’は、その上面が凹状の湾曲形状をなし、当接部２１７’の先端部分は、押込凸部２１７’ａを構成している。  
【０１７６】
しかして、誘導突起部２１３ｃと衝突して当接部２１７’上に落下した遊技球は、その後の下方落下によって当接部２１７’を下方に押し下げ、開閉部材６２を開放する方向に開閉係合部材２１４’を回動させる。その後、遊技球は、押込突起部２１３ｄとの当接によって軸支部２１４ａ側に押し込まれ、開閉係合部材２１４’を回動する力を強める（図２１に示すＰ５の状態）。また、このとき、当接部２１７’の先端部分に設けられた押込凸部２１７’ａは、押込突起部２１３ｄによって押し込まれた遊技球との当接によって当該遊技球による当接部２１７’の押し込みを助長する。これにより、遊技球が当接部２１７’に当接するのと同じタイミングで、閉鎖位置にある開閉部材６２の前方に遊技球が落下するような場合（図２１に示すＰ６の状態）でも、押込突起部２１３ｄによる遊技球の押し込みによって開閉部材６２前方の遊技球を押し払って開閉部材を開放することができる（図２１に示すＰ７，Ｐ８の状態）。  
【０１７７】
なお、押込突起部２１３ｄは、開閉部材６２が開放位置に移行した状態（図２１に示すＰ８の状態）で、当該押込突起部２１３ｄの先端部分から当接部２１７’が遊技球と当接する当接先端部分（押込凸部２１７’ａ）までの寸法Ｌ９が遊技球の直径寸法Ｌ２（＝１１ｍｍ）よりも若干大きくなる位置に設けられている。これにより、押込突起部２１３ｄ による遊技球の押し込みをより効率的に行わせることができる。なお、当接部２１７’の当接先端部分とは、落下通路２１３を落下する遊技球が当接部２１７’と当接する部分において、最も当接部２１７’の先端部分に近い部分のことをいい、実施形態中では、当接部２１７’先端の押込凸部２１７’ａとなる。また、実施形態中では、押込突起部２１３ｄの先端部分から当接部２１７’が遊技球と当接する当接先端部分（押込凸部２１７’ａ）までの寸法Ｌ９が１１．３ｍｍとなるように押込突起部２１３ｄを設けている。但し、押込突起部２１３ｄの突出寸法Ｌ８は、１．８ｍｍに設定されている。  
【０１７８】
次に、遊技盤４裏面での遊技球の球流れについて図２２を参照して説明する。図２２（Ａ）は球通路カバー体２２０を示す側面図であり、図２２（Ｂ）は図２２（Ａ）のＩ−Ｉ線断面図である。  
【０１７９】
図２２（Ａ）に示すように、遊技盤４の裏面には、遊技領域１２内の各種入賞口に入った遊技球を誘導する球通路が形成された球通路カバー体２２０が取り付けられている。球通路カバー体２２０には、図２２（Ｂ）に示すように、入賞振分装置４０の排出通路部５１に送り込まれた遊技球を受け入れてこれを回収する回収通路２２１と、入賞振分装置４０の特別通路部５０と上部可変入賞球装置６０の落下通路２１３とを連通する連通通路２２２と、が形成されている。しかして、入賞口４１に入った後に球受回転体４７の振り分けによって排出通路部５１に送り込まれた遊技球は、回収通路２２１を通って回収される。一方、入賞口４１に入った後に球
受回転体４７の振り分けによって特別通路部５０に送り込まれた遊技球は、連通通路２２２を通って上部可変入賞球装置６０の落下通路２１３（球入口２１３ａ）に送り込まれる。  
【０１８０】
球通路カバー体２２０における上部可変入賞球装置６０の近傍部分には、誘導路６４（球排出口２１１ａ）から排出された遊技球を第１入賞球装置９１側（第１チューリップ式入賞口９１ｃの開放機構）に誘導する第１誘導通路２２３と、誘導路６５（球排出口２１１ｂ）から排出された遊技球を第２入賞球装置９２側（第２チューリップ式入賞口９２ｃの開放機構）に誘導する第２誘導通路２２４と、誘導路６６（球排出口２１１ｃ）から排出された遊技球を第３入賞球装置９３側（第３チューリップ式入賞口９３ｃの開放機構）に誘導する第３誘導通路２２５と、誘導路６７（球排出口２１１ｄ）から排出された遊技球を第４入賞球装置９４側（第４チューリップ式入賞口９４ｃの開放機構）に誘導する第４誘導通路２２６と、が形成されている。  
【０１８１】
しかして、当選遊技状態の発生に伴う上部可変入賞球装置６０（第１〜第４の可変入賞口６１ａ〜６１ｄ）の開放状態において、第１可変入賞口６１ａに入った遊技球は、誘導路６４を通って第１誘導通路２２３に送り込まれ、該第１誘導通路２２３を通って第１入賞球装置９１側に誘導されることで、第１チューリップ式入賞口９１ｃの開放機構を作動して第１チューリップ式入賞口９１ｃを開放する。第２可変入賞口６１ｂに入った遊技球は、誘導路６５を通って第２誘導通路２２４に送り込まれ、該第２誘導通路２２４を通って第２入賞球装置９２側に誘導されることで、第２チューリップ式入賞口９２ｃの開放機構を作動して第２チューリップ式入賞口９２ｃを開放する。第３可変入賞口６１ｃに入った遊技球は、誘導路６６を通って第３誘導通路２２５に送り込まれ、該第３誘導通路２２５を通って第３入賞球装置９３側に誘導されることで、第３チューリップ式入賞口９３ｃの開放機構を作動して第３チューリップ式入賞口９３ｃを開放する。第４可変入賞口６１ｄに入った遊技球は、誘導路６７を通って第４誘導通路２２６に送り込まれ、該第４誘導通路２２６を通って第４入賞球装置９４側に誘導されることで、第４チューリップ式入賞口９４ｃの開放機構を作動して第４チューリップ式入賞口９４ｃを開放する。なお、第１〜第４のチューリップ式入賞口９１ｃ〜９４ｃの開放機構を作動した遊技球は、球通路カバー体２２０に形成された回収通路（特に符号を付さない）を通って回収される。  
【０１８２】
また、球通路カバー体２２０における上部可変入賞球装置６０の下方部分には、上部可変入賞球装置６０の落下通路２１３（球出口２１３ｂ）と下部可変入賞球装置８０の落下通路２１３（球入口２１３ａ）とを連通する連通通路２２７が形成されている。しかして、上部可変入賞球装置６０の落下通路２１３を通過（自然落下）した遊技球は、連通通路２２７を通ってそのまま自然落下によって下部可変入賞球装置８０の落下通路２１３（球入口２１３ａ）に送り込まれる。  
【０１８３】
球通路カバー体２２０における下部可変入賞球装置８０の近傍部分には、誘導路８４から排出された遊技球を受け入れてこれを回収する回収通路２２８と、誘導路８５から排出された遊技球を受け入れてこれを回収する回収通路２２９と、誘導路８６から排出された遊技球を受け入れてこれを回収する回収通路２３０と、誘導路８７から排出された遊技球を受け入れてこれを回収する回収通路２３１と、が形成されている。  
【０１８４】
しかして、当選遊技状態の発生に伴う下部可変入賞球装置６０（第５〜第８の可変入賞口８１ａ〜８１ｄ）の開放状態において、第５可変入賞口８１ａに入った遊技球は、誘導路８４を通って回収通路２２８に送り込まれ、該回収通路２２８を通って回収される。第６可変入賞口８１ｂに入った遊技球は、誘導路８５を通って回収通路２２９に送り込まれ、該回収通路２２９を通って回収される。第７可変入賞口８１ｃに入った遊技球は、誘導路８６を通って回収通路２３０に送り込まれ、該回収通路２３０を通って回収される。第８可変入賞口８１ｄに入った遊技球は、誘導路８７を通って回収通路２３１に送り込まれ、該回収通路２３１を通って回収される。  
【０１８５】
また、球通路カバー体２２０における下部可変入賞球装置８０の下方部分には、下部可変入賞球装置８０の落下通路２１３（球出口２１３ｂ）から排出された遊技球を受け入れてこれを回収する回収通路２３２が形成されている。  
【０１８６】
ところで、前述した入賞振分装置４０と上部可変入賞球装置６０との間、言い換えれば、取付基板６１の上側部分に設けられた第１，第４の可変入賞口６１ａ，６１ｄの上方に位置する遊技領域１２の部分と、上部可変入賞球装置６０と下部可変入賞球装置８０との間、言い換えれば、取付基板８１の上側部分に設けられた第５，第８の可変入賞口８１ａ，８１ｄの上方に位置する遊技領域１２の部分とには、それぞれ遊技球１個が通過し得る間隔を置いて複数の障害釘２４０，２５０（図２３参照）が植立されている。  
【０１８７】
そして、可変入賞口６１ａ，６１ｄ上方の障害釘２４０は、上部可変入賞球装置６０の上方から流れ込んだ遊技球の障害となり、また、可変入賞口８１ａ，８１ｄ上方の障害釘２５０は、下部可変入賞球装置８０の上方から流れ込んだ遊技球の障害となることで、遊技球の落下速度を減速するようになっている。このため、各可変入賞口６１ａ〜６１ｄ，８１ａ〜８１ｄの開放状態において、落下する遊技球により開閉部材６２，８２に多大な衝撃力が加わることを防止することができ、ひいては開閉部材６２，８２の破損を回避できる。  
【０１８８】
なお、上記したような効果としては、各可変入賞口６１ａ，６１ｄ，８１ａ，８１ｄ上方の障害釘を設けることなく、最下方に位置する可変入賞口（下部可変入賞球装置８０の可変入賞口８１ｂ，８１ｃ）のみが開放した状態を想定した場合（上部可変入賞球装置６０の上方から流れ込んだ遊技球がそのまま自然落下によって可変入賞口８１ｂ，８１ｃの開閉部材８２に衝突して開閉部材８２に多大な衝撃力を与える場合）に多大なる効果を奏し得るものである。  
【０１８９】
また、本実施形態における遊技盤４の構成、即ち遊技盤４表面に形成される遊技領域１２及び該遊技領域１２内に設けられる各種構成部材は、「チューリップ」というコンセプ トに基づいてそれぞれがデザインされている。以下、このようなコンセプトデザインについて図２３を参照して説明する。図２３は、遊技盤４のコンセプトデザインを示す説明図である。  
【０１９０】
図２３に示すように、遊技盤４の表面側には、化粧板３００が取り付けられ、該化粧板３００には、チューリップの花弁３０２を描いたセル画３０１（デザイン画）が貼り付けられている。花弁３０２は、入賞振分装置４０が配置される遊技領域１２の上側部分に描かれる。具体的には、入賞振分装置４０の前面装飾部材１４４をチューリップの雌しべに見立てるように入賞振分装置４０の左右側方部分にそれぞれ花弁３０２が描かれている。なお、花弁３０２は赤色に描かれ、雌しべとなる前面装飾部材１４４は黄色に構成されている。また、前面装飾部材１４４は、その外形形状がチューリップの雌しべに見立てた形状に形成されている。  
【０１９１】
入賞振分装置４０の取付基板１４０には、赤色から黄色に濃淡が調整されたグラデーションシール３０３が貼り付けられており、花弁３０２と雌しべ（前面装飾部材１４４）との描写的な一体感を持たせるようになっている。また、入賞振分装置４０内の各種構成部材は、花弁３０２の色となる赤色と雌しべ（前面装飾部材１４４）の色となる黄色とを基調とした配色が施されている。具体的に、球受回転体４７は赤色に構成され、転動板部材１５５は黄色に構成されている。また、入賞振分装置４０の透光装飾板１５６及び透明仕切板１６２は、それぞれ赤色と黄色の中間色となるオレンジ色に構成され、装飾ランプ１５７，１６９の光をオレンジ色の光として遊技者側に照射するようになっている。  
【０１９２】
一方、遊技領域１２の下側部分に配置される上部可変入賞球装置６０及び下部可変入賞球装置８０は、それぞれ入賞振分装置４０の下方位置で上下二段に配置されることで、チューリップの茎を構成するようになっている。具体的に、上部可変入賞球装置６０及び下部可変入賞球装置８０の各取付基板６１，８１は、その外形形状がチューリップの茎に見立てた形状に形成されると共に、茎の色となる緑色に構成されている。また、各取付基板６１，８１には、茎の陰影を示す濃緑色の陰影シール３０４が貼り付けられており、平板からなる取付基板６１，８１に茎の立体感を持たせるようになっている。  
【０１９３】
また、上部可変入賞球装置６０及び下部可変入賞球装置８０の左右側方に配置される第１乃至第４の各入賞球装置９１〜９４は、それぞれチューリップの葉を構成するようになっている。具体的に、上部可変入賞球装置６０の左側方に配置される第１入賞球装置９１と、下部可変入賞球装置８０の左側方に配置される第２入賞球装置９２とによって左上側に延びる葉を構成し、下部可変入賞球装置８０の右側方に配置される第３入賞球装置９３と上部可変入賞球装置６０の右側方に配置される第４入賞球装置９４とによって右上側に延びる葉を構成している。また、入賞球装置９１〜９４の各取付基板９１ａ〜９４ａは、葉の色となる緑色に構成されている。なお、コンセプトデザイン（チューリップ）に応じた配色が施される入賞振分装置４０の前面装飾部材１４４、可変入賞球装置６０，８０の各取付基板６１，８１、入賞球装置９１〜９４の各取付基板９１ａ〜９４ａ等の各種構成部材は、製造時に使用する色に合わせて造られたものである。  
【０１９４】
しかして、本実施形態の遊技盤４は、化粧板３００（セル画３０１）に描かれた花弁３０２、入賞振分装置４０によって形成された花弁の内部（前面装飾部材１４４によって形成された雌しべ等）、上部可変入賞球装置６０及び下部可変入賞球装置８０によって形成された茎、第１乃至第４の各入賞球装置９１〜９４によって形成された葉、から遊技領域１２全体にチューリップを構成している。なお、このようなチューリップを構成する遊技盤４は、コンセプト（本実施形態では、チューリップ）に基づいてセル画３０１と遊技装置（入賞振分装置４０、上部可変入賞球装置６０、下部可変入賞球装置８０、第１乃至第４の各入賞球装置９１〜９４）のデザインが行われる製作手法がとられている。即ち、遊 技装置をデザインした後にその遊技装置に合わせてセル画をデザインしたり、逆にセル画をデザインした後にそのセル画に合わせて遊技装置をデザインする遊技盤の製作手法ではなく、コンセプトに基づいてセル画と遊技装置とを同時進行で製作する手法である。  
【０１９５】
なお、上記したような同時進行の製作手法をとることなく、遊技装置優先で遊技盤全体にコンセプトを設けた場合、コンセプトに沿って遊技盤をデザインすることはできるものの、優先された遊技装置にセル画が引っ張られた形でデザインが施されることになる。具体的には、遊技装置の形状や配色に合わせてセル画のデザインが規制されることになり、遊技盤全体としてのトータル的なコンセプトが薄れ、少なからずコンセプトを設けた遊技盤としての訴求効果が薄れる。これとは逆に、セル画優先で遊技盤全体にコンセプトを設けた場合、コンセプトに沿って遊技盤をデザインすることはできるものの、優先されたセル画に遊技装置が引っ張られた形となり、遊技装置の設計自由度が極端に規制されてしまい、遊技内容が乏しいものになってしまう虞がある。これに対して、本実施形態の遊技盤４では、遊技装置の形状や配色に合わせてセル画のデザインが規制されたり、セル画のデザインに合わせて遊技装置の設計自由度が極端に規制されてしまうことがないので、コンセプトを設けた遊技盤としての訴求効果が薄れることなく、然も遊技内容が乏しいものとなる虞がない。  
【０１９６】
また、本実施形態のパチンコ機１は、所定の入賞口への入賞に基づいて開閉部材を遊技球が入賞するまで開放
し、このような開閉部材の開放を繰り返すことで徐々に賞球を獲得していく遊技内容であり、図柄表示装置の表示結果によって大当りの有無を遊技者に認識させて、大当りとなったときに大入賞口を開放して大量の賞球を遊技者に付与する遊技内容（始動入賞口への遊技球の入賞に基づいて大当りを発生するか否かを乱数抽出で決定して、大当りを決定したときに大入賞口を長期間開放することで、遊技者が短時間で大量の賞球を獲得できる遊技内容）の遊技機とは異なる。即ち、本実施形態におけるパチンコ機１の構成としては、左右一対の開閉片を備えたチューリップ式入賞口が主な遊技装置として遊技領域内に設けられた往年の遊技機を想起させる遊技内容となっており、このような遊技内容がコンセプト（チューリップ）となり、遊技盤４のデザインに反映されている。言い換えれば、本実施形態の遊技盤４は、商品としての遊技機の遊技内容に合わせてセル画と遊技装置とがデザインされる手法で製作させており、これによって遊技盤全体にコンセプトを持たせて遊技者に遊技機のイメージ（遊技内容）を視覚的に訴えかけるように構成されている。  
【０１９７】
以上のように、本実施形態の構成によれば、遊技領域１２の表面にはセル画３００（デザイン画）が付され、該セル画３００が付された遊技領域１２内には、当該遊技領域１２を流下する遊技球と直接的又は間接的に作用して所定の遊技効果を得る遊技装置（実施形態中では、入賞振分装置４０、上部可変入賞球装置６０、下部可変入賞球装置８０、第１乃至第４の各入賞球装置９１〜９４）が配置され、遊技装置としての入賞振分装置４０は、遊技領域１２に臨設される外形形成部分（取付基板１４０及び前面装飾部材１４４）が予め定めた特定実体（実施形態中では、チューリップ）の一部を構成する実体構成部をなし、セル画３００は、実体構成部との間で特定実体を構成する実体画（花弁３０２）を含む。これにより、遊技領域１２に臨設される入賞振分装置４０の実体構成部（取付基板１４０及び前面装飾部材１４４）とセル画３００の実体画（花弁３０２）とによって特定実体（チューリップ）を構成することができるので、入賞振分装置４０とセル画３００とに一体感を持たせることができ、ひいては遊技領域１２においてデザイン上での統一性を持たせることができる。  
【０１９８】
なお、遊技球と直接的に作用する遊技装置とは、実施形態中に記載の入賞振分装置４０、上部可変入賞球装置６０、下部可変入賞球装置８０、第１乃至第４の各入賞球装置９１〜９４のように、遊技球が入賞したりあるいは遊技球を振り分ける等、受け入れた遊技球 に対して作用を及ぼす遊技装置のことである。一方、遊技球と間接的に作用する遊技装置とは、始動入賞口への遊技球の入賞に基づいて図柄を可変表示する図柄表示装置のように、所定領域への遊技球の通過（入賞を含む）等に基づいて動作が制御される遊技装置のことである。  
【０１９９】
また、本実施形態の構成によれば、遊技領域１２内に、個々に特定実体（本実施形態では、チューリップ）を構成する複数の遊技装置（入賞振分装置４０、上部可変入賞球装置６０、下部可変入賞球装置８０、第１乃至第４の入賞球装置９１〜９４）が配置され、複数の遊技装置のうち主要な遊技内容を有する主要遊技装置となる入賞振分装置４０は、特定実体における主要部分（本実施形態では、チューリップの花弁部分（雌しべを含む））を構成する位置に配置される。これにより、主要遊技装置（入賞振分装置４０）の配置位置を分り易くできると共に、主要な遊技内容を強調して遊技者に認識させることができる。このため、遊技者は、遊技領域１２内のいずれの部分を狙って遊技球を打ち込めばよいか一目で分かり、遊技進行を容易にできる。この場合、主要遊技装置以外の遊技装置に対する遊技球の打ち込みは、遊技を進行させていく中で自然と分かるものである。なお、主要な遊技内容とは、遊技球を最初に狙い打ちすることで、大当り遊技状態等の遊技者に有利となる遊技状態（実施形態中では、当選遊技状態）を発生させて遊技者に大量の賞球を払い出す機会を与え得る遊技内容のことである。また、本発明に係る特定実体は、実施形態中に記載のチューリップに限定するものではなく、実体を有して遊技装置によって実体構成部を構成し得るものであれば、いずれの構成であってもよい。
【符号の説明】
【０２００】
１  パチンコ機４  遊技盤１２  遊技領域４０  入賞振分装置（遊技装置）４１  入賞口４３  誘導通路４４  クルーン転動板４７  球受回転体４８  当選切欠部４９  落選切欠部６０  上部可変入賞球装置（遊技装置）６１ａ〜６１ｄ  可変入賞口８０  下部可変入賞球装置（遊技装置）８１ａ〜８１ｄ  可変入賞口９１  第１入賞球装置（遊技装置）９２  第２入賞球装置（遊技装置）９３  第３入賞球装置（遊技装置）９４  第４入賞球装置（遊技装置）９１ｂ〜９４ｂ  開放入賞口９１ｃ〜９４ｃ  チューリップ式入賞口１１０  主基板１２０  サブ統合基板１４０  取付基板（実体構成部）１４４  前面装飾部材（実体構成部）１５１  係合突起１５３  取付突片部１５４  係合突起１５６  透光装飾板２４０，２５０  障害釘３００  化粧板３０１  セル画（デザイン画）３０２  花弁（実体画）３０３  グラデーションシール３０４  陰影シール
【図１】
2010188144.tif 000003
【図２】
2010188144.tif 000004
【図３】
2010188144.tif 000005
【図４】
2010188144.tif 000006
【図５】
2010188144.tif 000007
【図６】
2010188144.tif 000008
【図７】
2010188144.tif 000009
【図８】
2010188144.tif 000010
【図９】
2010188144.tif 000011
【図１０】
2010188144.tif 000012
【図１１】
2010188144.tif 000013
【図１２】
2010188144.tif 000014
【図１３】
2010188144.tif 000015
【図１４】
2010188144.tif 000016
【図１５】
2010188144.tif 000017
【図１６】
2010188144.tif 000018
【図１７】
2010188144.tif 000019
【図１８】
2010188144.tif 000020
【図１９】
2010188144.tif 000021
【図２０】
2010188144.tif 000022
【図２１】
2010188144.tif 000023
【図２２】
2010188144.tif 000024
【図２３】
2010188144.tif 000025
【手続補正書】
【提出日】平成22年4月26日(2010.4.26)
【手続補正１】
【補正対象書類名】特許請求の範囲
【補正対象項目名】全文
【補正方法】変更
【補正の内容】
【特許請求の範囲】
【請求項１】
遊技機のコンセプトを想起させる特定物が遊技領域の略全域にあらわれるように、静止画と役物とが協働して前記特定物がかたちづくられた遊技機であって、
遊技領域が区画形成されるとともに、該遊技領域の表面に前記静止画としてのデザイン画が描かれた遊技盤と、
前記遊技領域の略中央に設けられたセンター役物と前記遊技領域を流下する遊技球を受け入れ可能に可動しうる可動物とを有し、少なくとも当該センター役物と当該可動物とで、前記特定物の概形をかたちづくる前記役物としての遊技装置と、
を備え、前記遊技盤に描かれた前記デザイン画に規制されることなく前記遊技装置が前記遊技領域に配置されており、
前記遊技装置の構成要素である前記可動物は、
少なくとも前記センター役物への遊技球の受け入れを前提として前記遊技球を受け入れ可能に可動するとともに、
少なくとも当該センター役物とで前記遊技機のコンセプトを想起させる前記特定物の概形をかたちづくるものでありながらも、当該可動物それだけでも、前記遊技機のコンセプトを想起させるように、前記特定物よりも小さくかたちづくられた小特定物として機能し、
前記小特定物として機能する前記可動物への遊技球の入賞に基づいて賞球が付与されることで、前記特定物をかたちづくる前記遊技装置を構成するセンター役物と、当該遊技装置を構成しながらも前記小特定物としても機能する前記可動物とを連係させて、遊技を進行させるようにした
ことを特徴とする遊技機。
【請求項２】
前記遊技装置は、
前記センター役物に受け入れられた遊技球が特定通路を通過したときに、前記遊技領域を流下する遊技球を受け入れ可能に開放される開放口をさらに有し、
前記可動物は、
前記開放口に遊技球が受け入れられたことに基づいて、前記遊技領域を流下する遊技球を受け入れ可能に可動する
請求項１に記載の遊技機。
【請求項３】
前記開放口は、傾動位置と垂直位置との間で移行する開閉部材を有することで、前記遊技領域を流下する遊技球の受け入れが可能とされ、
前記可動物は、左右に可動する可動片を有することで、前記遊技領域を流下する遊技球の受け入れが可能とされる
請求項２に記載の遊技機。
【手続補正２】
【補正対象書類名】明細書
【補正対象項目名】０００５
【補正方法】変更
【補正の内容】
【０００５】
請求項１に記載の遊技機は、  遊技機のコンセプトを想起させる特定物が遊技領域の略全域にあらわれるように、静止画と役物とが協働して前記特定物がかたちづくられた遊技機であって、遊技領域が区画形成されるとともに、該遊技領域の表面に前記静止画としてのデザイン画が描かれた遊技盤と、前記遊技領域の略中央に設けられたセンター役物と前記遊技領域を流下する遊技球を受け入れ可能に可動しうる可動物とを有し、少なくとも当該センター役物と当該可動物とで、前記特定物の概形をかたちづくる前記役物としての遊技装置と、を備え、前記遊技盤に描かれた前記デザイン画に規制されることなく前記遊技装置が前記遊技領域に配置されており、前記遊技装置の構成要素である前記可動物は、少なくとも前記センター役物への遊技球の受け入れを前提として前記遊技球を受け入れ可能に可動するとともに、少なくとも当該センター役物とで前記遊技機のコンセプトを想起させる前記特定物の概形をかたちづくるものでありながらも、当該可動物それだけでも、前記遊技機のコンセプトを想起させるように、前記特定物よりも小さくかたちづくられた小特定物として機能し、  前記小特定物として機能する前記可動物への遊技球の入賞に基づいて賞球が付与されることで、前記特定物をかたちづくる前記遊技装置を構成するセンター役物と、当該遊技装置を構成しながらも前記小特定物としても機能する前記可動物とを連係させて、遊技を進行させるようにしたことを要旨とする。
請求項２に記載の遊技機は、請求項１に記載の遊技機において、前記遊技装置は、前記センター役物に受け入れられた遊技球が特定通路を通過したときに、前記遊技領域を流下する遊技球を受け入れ可能に開放される開放口をさらに有し、前記可動物は、前記開放口に遊技球が受け入れられたことに基づいて、前記遊技領域を流下する遊技球を受け入れ可能に可動することを要旨とする。
請求項３に記載の遊技機は、請求項２に記載の遊技機において、前記開放口は、傾動位置と垂直位置との間で移行する開閉部材を有することで、前記遊技領域を流下する遊技球の受け入れが可能とされ、前記可動物は、左右に可動する可動片を有することで、前記遊技領域を流下する遊技球の受け入れが可能とされることを要旨とする。
【手続補正３】
【補正対象書類名】明細書
【補正対象項目名】０００６
【補正方法】変更
【補正の内容】
【０００６】
（解決手段１）
上記目的を達成するために、本発明の遊技機は、遊技盤に区画形成された遊技領域に遊技球を打ち込んで遊技を行う遊技機であって、前記遊技領域の表面にはデザイン画が付され、該デザイン画が付された前記遊技領域内には、当該遊技領域を流下する遊技球と直接的又は間接的に作用して所定の遊技効果を得る遊技装置が配置され、前記遊技装置は、前記遊技領域に臨設される外形形成部分が予め定めた特定実体の一部を構成する実体構成部をなし、前記デザイン画は、前記実体構成部との間で前記特定実体を構成する実体画を含むことを特徴とする。この場合、遊技領域に臨設される遊技装置の実体構成部とデザイン画の実体画とによって特定実体を構成することができるので、遊技装置とデザイン画とに一体感を持たせることができ、ひいては遊技領域においてデザイン上での統一性を持たせることができる。
（解決手段２）  解決手段１において、前記遊技領域には、個々に前記実体構成部を備えた複数の遊技装置が配置される。この場合、遊技領域に配置される複数の遊技装置によって特定実体を構成することができる。